(57)【要約】【課題】本発明は、装置を大型化せずに紙葉類収納庫を軽量化する。【解決手段】本発明は、内部に複数の紙葉類を収納する紙葉類収納庫を用いて紙葉類を取り扱う紙葉類取扱装置に、内部に駆動対象を動かすための駆動部が配置されると共に、内部の紙葉類の収納箇所及び駆動部の配置箇所を除く所定箇所に対応する表面の一部に凹部が形成された紙葉類収納庫が着脱可能に装着される装着部と、装着部に、当該装着部に装着された紙葉類収納庫の凹部内に位置するように配置され、紙葉類収納庫の駆動部を駆動するための駆動源とを設けることにより、紙葉類収納庫を、駆動源を除いて軽量化しつつ、装着部が駆動源を設けても大型化することを防止することができ、装置を大型化せずに紙葉類収納庫を軽量化することができる。【選択図】図２０
2014044543.tif 000002
【特許請求の範囲】
【請求項１】
内部に複数の紙葉類を収納する紙葉類収納庫を用いて上記紙葉類を取り扱う紙葉類取扱装置であって、
上記内部に駆動対象を動かすための駆動部が配置されると共に、上記内部の上記紙葉類の収納箇所及び上記駆動部の配置箇所を除く所定箇所に対応する表面の一部に凹部が形成された上記紙葉類収納庫が着脱可能に装着される装着部と、
上記装着部に、当該装着部に装着された上記紙葉類収納庫の上記凹部内に位置するように配置され、上記紙葉類収納庫の上記駆動部を駆動するための駆動源と
を具える紙葉類取扱装置。
【請求項２】
上記装着部に、当該装着部に装着された上記紙葉類収納庫の上記凹部内に入り込むように配置され、上記駆動源を収納する駆動源収納ケース
を具える請求項１に記載の紙葉類取扱装置。
【請求項３】
上記装着部の底面よりも上側に配置され、上記装着部に装着された上記紙葉類収納庫の上記凹部内に配置された収納庫側コネクタと接続される装着部側コネクタ
を具える請求項２に記載の紙葉類取扱装置。
【請求項４】
上記装着部には、
上記表面の一部としての背面の中央部から下面に亘り溝状の上記凹部が形成された上記紙葉類収納庫が着脱可能に装着される
請求項３に記載の紙葉類取扱装置。
【請求項５】
紙葉類取扱装置が取り扱う紙葉類を内部に収納し、上記紙葉類取扱装置の装着部に着脱可能に装着される紙葉類収納庫であって、
駆動対象と、
上記内部に配置され、上記駆動対象を動かすための駆動部と、
上記内部の上記紙葉類の収納箇所及び上記駆動部の配置箇所を除く所定箇所に対応する表面の一部に形成された凹部と
を具え、
上記凹部は、
本収納庫が上記紙葉類取扱装置の上記装着部に装着された際、上記駆動部を駆動するために上記装着部に配置された駆動源を入り込ませる
紙葉類収納庫。
【発明の詳細な説明】
【技術分野】
【０００１】
本発明は紙葉類取扱装置及び紙葉類収納庫に関し、例えば、紙幣の入金及び出金の取引を行う現金自動預払機（ATM：Automatic  Teller  Machine）に適用して好適なものである。
【背景技術】
【０００２】
従来、この種の現金自動預払機は、顧客により入金される紙幣を収納し、また紙幣を顧客への出金用に繰り出すための複数の紙幣収納庫が着脱可能に装着されている。
【０００３】
そして、この種の現金自動預払機では、作業者により複数の紙幣収納庫が適宜外されて、当該現金自動預払機の外部で複数の紙幣収納庫に対する紙幣の補充や回収が行われている。
【０００４】
この場合、現金自動預払機に装着される紙幣収納庫としては、複数の紙幣を順に重ねるようにして載上するためのステージと共に、当該ステージを昇降させるためのステージ駆動部、及びステージ駆動部を駆動するためのモータ（以下、これをステージ駆動モータとも呼ぶ）が設けられたものがある。
【０００５】
また現金自動預払機に装着される紙幣収納庫としては、ステージ、ステージ駆動部及びステージ駆動モータに加えて、紙幣の取込及び繰出用の複数のローラと共に、当該複数のローラを回転させるためのローラ駆動部、及びローラ駆動部を駆動するためのモータ（以下、これをローラ駆動モータとも呼ぶ）が設けられたものもある。
【０００６】
ただし、このような紙幣収納庫は、ステージ駆動部やローラ駆動部と共にステージ駆動モータやローラ駆動モータが設けられていることで、全体が比較的重く、内部に複数の紙幣を収納した場合には、全体がさらに重くなる。
【０００７】
このため従来、この種の現金自動預払機としては、ステージ駆動モータやローラ駆動モータを紙幣収納庫ではなく現金自動預払機に設けることで、その紙幣収納庫を軽量化して、紙幣収納庫の着脱の際や運搬の際に作業者の負担を軽減させるようにしたものがある。
【０００８】
実際に、この種の現金自動預払機としては、引出ユニットが前後に移動可能に設けられると共に、当該引出ユニットに複数の紙幣収納庫が前から後へ一列に並べるようにして着脱可能に装着されるものがある。
【０００９】
因みに、以下の説明では、このように複数の紙幣収納庫が着脱可能に装着される引出ユニットが設けられた従来の現金自動預払機を、特に紙幣入出金機とも呼ぶ。
【００１０】
この場合、紙幣入出金機では、複数の紙幣収納庫にそれぞれステージと共にステージ駆動部が設けられており、引出ユニットに複数の紙幣収納庫の側面と対向させて複数のステージ駆動モータが設けられている。
【００１１】
そして紙幣入出金機は、引出ユニットに複数の紙幣収納庫が装着されると、複数の紙幣収納庫のステージ駆動部に、それぞれ対応するステージ駆動モータを接続して、これら複数の紙幣収納庫のステージ駆動部を駆動可能にしていた（例えば、特許文献１参照）。
【００１２】
また従来、この種の現金自動預払機としては、金庫筐体が設けられると共に、当該金庫筐体に複数の紙幣収納庫が上から下へ一列に並べるようにして着脱可能に装着されるものもある。
【００１３】
因みに、以下の説明では、このように複数の紙幣収納庫が着脱可能に装着される金庫筐体が設けられた従来の現金自動預払機を、特に現金自動取引装置とも呼ぶ。
【００１４】
この場合、現金自動取引装置は、複数の紙幣収納庫にそれぞれステージ及びステージ駆動部と共に、紙幣の取込及び繰出用の複数のローラ及びローラ駆動部が設けられており、金庫筐体に複数の紙幣収納庫の側面と対向させて複数のステージ駆動モータ及びローラ駆動モータが設けられている。
【００１５】
そして現金自動取引装置は、金庫筐体に複数の紙幣収納庫が装着されると、これら複数の紙幣収納庫のステージ駆動部及びローラ駆動部に、それぞれ対応するステージ駆動モータ及びローラ駆動モータを接続して、これら複数の紙幣収納庫のステージ駆動部及びローラ駆動部を駆動可能にしていた（例えば、特許文献２参照）。
【先行技術文献】
【特許文献】
【００１６】
【特許文献１】特開平８−２６３７１９号公報（第４頁、図１、図２）
【特許文献２】特開２００１−１４５０９公報（第７頁、図３、図７、図１２）
【発明の概要】
【発明が解決しようとする課題】
【００１７】
ところが、係る構成の紙幣入出金機や現金自動取引装置では、引出ユニットや金庫筐体の幅が、紙幣収納庫の幅よりも比較的広く形成されている。
【００１８】
そして紙幣入出金機や現金自動取引装置では、引出ユニットや金庫筐体の側壁内面と紙幣収納庫の側面との間にステージ駆動モータやローラ駆動モータが設けられている。
【００１９】
このため紙幣入出金機や現金自動取引装置では、紙幣収納庫を軽量化し得るとはいっても、引出ユニットや金庫筐体と共に当該紙幣入出金機や現金自動取引装置が大型化するという問題があった。
【００２０】
本発明は以上の点を考慮してなされたもので、装置を大型化せずに紙葉類収納庫を軽量化し得る紙葉類取扱装置、及びその紙葉類収納庫を提案しようとするものである。
【課題を解決するための手段】
【００２１】
かかる課題を解決するため本発明においては、内部に複数の紙葉類を収納する紙葉類収納庫を用いて紙葉類を取り扱う紙葉類取扱装置に、内部に駆動対象を動かすための駆動部が配置されると共に、当該内部の紙葉類の収納箇所及び駆動部の配置箇所を除く所定箇所に対応する表面の一部に凹部が形成された紙葉類収納庫が着脱可能に装着される装着部と、装着部に、当該装着部に装着された紙葉類収納庫の凹部内に位置するように配置され、紙葉類収納庫の駆動部を駆動するための駆動源とを設けるようにした。
【００２２】
従って本発明では、紙葉類収納庫を、駆動源を除いて軽量化しつつ、装着部が駆動源を設けても大型化することを防止することができる。
【発明の効果】
【００２３】
本発明によれば、内部に複数の紙葉類を収納する紙葉類収納庫を用いて紙葉類を取り扱う紙葉類取扱装置に、内部に駆動対象を動かすための駆動部が配置されると共に、当該内部の紙葉類の収納箇所及び駆動部の配置箇所を除く所定箇所に対応する表面の一部に凹部が形成された紙葉類収納庫が着脱可能に装着される装着部と、装着部に、当該装着部に装着された紙葉類収納庫の凹部内に位置するように配置され、紙葉類収納庫の駆動部を駆動するための駆動源とを設けるようにしたことにより、紙葉類収納庫を、駆動源を除いて軽量化しつつ、装着部が駆動源を設けても大型化することを防止することができ、かくして装置を大型化せずに紙葉類収納庫を軽量化し得る紙葉類取扱装置、及びその紙葉類収納庫を実現することができる。
【図面の簡単な説明】
【００２４】
【図１】本発明による現金自動預払機の外観構成の一実施の形態を示す略線的斜視図である。
【図２】現金自動預払機の内部構成を示す略線的側面図である。
【図３】預払機筐体に対する紙幣処理ユニットの引出及び収納の説明に供する略線的側面図である。
【図４】紙幣処理ユニットに対する収納庫装着ユニットの引出及び収納の説明に供する略線的側面図である。
【図５】収納庫装着ユニットの装着部に対する紙幣収納庫の着脱（１）の説明に供する略線的斜視図である。
【図６】紙幣収納庫の外観構成（１）を示す略線的斜視図である。
【図７】紙幣収納庫の外観構成（２）を示す略線的斜視図である。
【図８】外装ケース内の収納庫筐体の構成を示す略線的斜視図である。
【図９】外装ケース内のステージ昇降部及び紙幣取込繰出部の配置位置の説明に供する略線的断面図である。
【図１０】ステージ昇降部の構成（１）を示す略線的斜視図である。
【図１１】ステージ昇降部の構成（２）を示す略線的側面図である。
【図１２】紙幣取込繰出部の構成（１）を示す略線的側面図である。
【図１３】紙幣取込繰出部の構成（２）を示す略線的背面図である。
【図１４】ローラ駆動部の構成を示す略線的側面図である。
【図１５】紙幣収納庫における駆動伝達用のギアプーリ及び第５アイドルギアの露出の説明に供する略線的背面図である。
【図１６】収納庫装着ユニットの構成（１）を示す略線的斜視図である。
【図１７】収納庫装着ユニットの構成（２）を示す略線的側面図である。
【図１８】装着部のモータ収納ケースの構成を示す略線的正面図である。
【図１９】収納庫装着ユニットの装着部に対する紙幣収納庫の着脱（２）の説明に供する略線的正面図である。
【図２０】装着部に対する紙幣収納庫の装着の状態の説明に供する略線的正面図である。
【図２１】収納庫装着ユニットの装着部に対する紙幣収納庫の装着時のステージ駆動モータとステージ駆動部との連結（１）の説明に供する略線的側面図である。
【図２２】収納庫装着ユニットの装着部に対する紙幣収納庫の装着時のステージ駆動モータとステージ駆動部との連結（２）の説明に供する略線的上面図である。
【図２３】収納庫装着ユニットの装着部に対する紙幣収納庫の装着時のローラ駆動モータとローラ駆動部との連結の説明に供する略線的側面図である。
【図２４】紙幣収納庫の紙幣の取り込みの説明に供する略線的側面図である。
【図２５】紙幣収納庫の紙幣の繰り出しの説明に供する略線的側面図である。
【図２６】他の実施の形態による紙幣収納庫の構成を示す略線的斜視図である。
【図２７】他の実施の形態による紙幣処理ユニットの構成を示す略線的側面図である。
【発明を実施するための形態】
【００２５】
以下図面を用いて、発明を実施するための最良の形態（以下、これを実施の形態とも呼ぶ）について説明する。なお、説明は以下の順序で行う。
（１）実施の形態
（２）他の実施の形態
【００２６】
（１）実施の形態
（１−１）現金自動預払機の外観構成
図１において、１は全体として本発明を適用した現金自動預払機の外観構成を示す。かかる現金自動預払機１は、略箱型の筐体（以下、これを預払機筐体とも呼ぶ）２を有している。
【００２７】
因みに、以下の説明では、現金自動預払機１を、預払機筐体２の前面２Ａと対峙して見た場合の図中に矢印ａ１で示す左の方向を、預払機左方向とも呼び、当該預払機左方向とは逆の方向を、預払機右方向とも呼ぶ。
【００２８】
そして、以下の説明では、預払機左方向及び預払機右方向を特には区別する必要のない場合、これらをまとめて預払機左右方向とも呼ぶ。
【００２９】
また、以下の説明では、現金自動預払機１を、預払機筐体２の前面２Ａと対峙して見た場合の図中に矢印ｂ１で示す上の方向を、預払機上方向とも呼び、当該預払機上方向とは逆の方向を、預払機下方向とも呼ぶ。
【００３０】
そして、以下の説明では、預払機上方向及び預払機下方向を特に区別する必要がない場合、これらをまとめて預払機上下方向とも呼ぶ。
【００３１】
さらに、以下の説明では、現金自動預払機１を、預払機筐体２の前面２Ａと対峙して見た場合の図中に矢印ｃ１で示す手前の方向を、預払機前方向とも呼び、当該預払機前方向とは逆の方向を、預払機後方向とも呼ぶ。
【００３２】
そして、以下の説明では、預払機前方向及び預払機後方向を特に区別する必要がない場合、これらをまとめて預払機前後方向とも呼ぶ。
【００３３】
預払機筐体２の前側上端部には、例えば、前斜め上をむくような略傾斜面状に形成されたフロントパネル３が設けられている。
【００３４】
フロントパネル３には、例えば、上端部に、種々の操作画像の表示及び表面へのタッチ操作が可能なタッチスクリーン４が配置されている。
【００３５】
またフロントパネル３は、例えば、下端部の中央に開口部が形成されている。そしてフロントパネル３には、例えば、下端部に、長方形の紙幣を投入し、また取り出すための紙幣投入取出部５が、当該紙幣投入取出部５の開閉可能なシャッタを開口部に対向させて配置されている。
【００３６】
さらにフロントパネル３には、例えば、中央部（すなわち、タッチスクリーン４と紙幣投入取出部５との間）の左寄りに、取引の際に通帳を挿入させ、また当該通帳や取引明細書を排出するための通帳挿入排出口７が設けられている。
【００３７】
さらにまたフロントパネル３には、例えば、中央部の右寄りに、取引の際にキャッシュカードやクレジットカード等の種々のカードを挿入させ、また挿入されたカードを排出するためのカード挿入排出口８が設けられている。
【００３８】
現金自動預払機１は、係る構成のもと、タッチスクリーン４に操作画像を表示すると共に、顧客によるタッチスクリーン４の表面へのタッチ操作に応じて、当該タッチスクリーン４に表示する操作画像を適宜切り換える。
【００３９】
これにより現金自動預払機１は、タッチスクリーン４に適宜切り換えて表示する操作画像によって、顧客に紙幣の預け入れのような入金や、紙幣の払い出しのような出金等の所望の取引の手順を案内する。
【００４０】
そして現金自動預払機１は、顧客に取引の手順の案内に従って、通帳挿入排出口７やカード挿入排出口８に通帳やカードを挿入させ、また紙幣投入取出部５に入金用の紙幣を投入させる。
【００４１】
また現金自動預払機１は、顧客に取引の手順の案内に従って、通帳挿入排出口７やカード挿入排出口８から排出した通帳や取引明細書、カードを受け取らせ、紙幣投入取出部５から出金用の紙幣を取り出させる。このようにして現金自動預払機１は、顧客が所望する紙幣の入金や出金等の取引を行うことができる。
【００４２】
（１−２）現金自動預払機の内部構成
次いで、現金自動預払機１の内部構成について説明する。図２に示すように、現金自動預払機１の預払機筐体２内には、当該現金自動預払機１全体を統括制御する制御部１０が配置されている。
【００４３】
また預払機筐体２内には、下端部に制御部１０の制御のもと、紙幣の入金処理及び出金処理等を行う紙幣処理ユニット１１が収納されている。
【００４４】
紙幣処理ユニット１１は、略箱型の筐体（以下、これをユニット筐体とも呼ぶ）１２を有している。そしてユニット筐体１２内には、例えば、上前端部に上述の紙幣投入取出部５が配置されると共に、当該紙幣投入取出部５の後斜下に鑑別部１５が配置されている。
【００４５】
またユニット筐体１２内には、例えば、鑑別部１５の後側において上後端部に、一時保留部１６が配置されている。
【００４６】
さらにユニット筐体１２内には、例えば、一時保留部１６の下に、破損している紙幣や折れ曲がっている紙幣等のような異常な紙幣を収納するための１個の紙幣収納庫１７が着脱可能に装着されている。
【００４７】
因みに、以下の説明では、破損している紙幣や折れ曲がっている紙幣等のような異常な紙幣を、適宜、入金用及び出金用の紙幣とは区別してリジェクト紙幣とも呼び、そのリジェクト紙幣を収納するための紙幣収納庫１７を、特にリジェクト庫１７とも呼ぶ。
【００４８】
さらにユニット筐体１２内には、紙幣投入取出部５、鑑別部１５、一時保留部１６及びリジェクト庫１７の下側に例えば、預払機前後方向に長く、かつ上端に開口部が形成された略箱型の収納庫装着ユニット１８が収納されている。
【００４９】
収納庫装着ユニット１８は、例えば、底面に当該収納庫装着ユニット１８の深さとほぼ等しい高さを有する複数の仕切板１８Ａが、前側から後側へかけて所定の等間隔で順に植設されている。
【００５０】
これにより収納庫装着ユニット１８は、複数の仕切板１８Ａによって、それぞれ紙幣収納庫２０乃至２３を個別に装着するための略直方体状の装着スペースを有する複数の装着部１８Ｂが形成されている。
【００５１】
そして収納庫装着ユニット１８は、複数の装着部１８Ｂに、それぞれ入出金用の紙幣を金種別に収納する（すなわち、それぞれ特定の１金種の紙幣のみを収納する）ための紙幣収納庫２０乃至２３が着脱可能に装着されている。
【００５２】
これに加えてユニット筐体１２内には、紙幣投入取出部５の下側において当該紙幣投入取出部５及び鑑別部１５間に、搬送ガイドやローラ、搬送用モータ等の複数種類の搬送路形成部品を有する紙幣搬送部２５が配置されている。
【００５３】
紙幣搬送部２５は、複数種類の搬送路形成部品により、紙幣を、搬送先を適宜切り換えて搬送するための搬送路２５Ａを形成しており、当該搬送路２５Ａが紙幣投入取出部５及び鑑別部１５に接続されている。
【００５４】
因みに、以下の説明では、紙幣投入取出部５の下側において当該紙幣投入取出部５及び鑑別部１５間に配置された紙幣搬送部２５を、下側搬送部２５とも呼ぶ。また、以下の説明では、下側搬送部２５が形成する搬送路２５Ａを、下側紙幣搬送路２５Ａとも呼ぶ。
【００５５】
またユニット筐体１２内には、紙幣投入取出部５の後側において当該紙幣投入取出部５、鑑別部１５、一時保留部１６及びリジェクト庫１７の間にも、搬送ガイドやローラ、搬送用モータ等の複数種類の搬送路形成部品を有する紙幣搬送部２６が配置されている。
【００５６】
紙幣搬送部２６は、複数種類の搬送路形成部品により、紙幣を、搬送先を適宜切り換えて搬送するための搬送路２６Ａを形成しており、当該搬送路２６Ａが紙幣投入取出部５、鑑別部１５、一時保留部１６及びリジェクト庫１７に接続されている。
【００５７】
因みに、以下の説明では、紙幣投入取出部５の後側において当該紙幣投入取出部５、鑑別部１５、一時保留部１６及びリジェクト庫１７の間に配置された紙幣搬送部２６を、後側搬送部２６とも呼ぶ。また、以下の説明では、後側搬送部２６が形成する搬送路２６Ａを、後側紙幣搬送路２６Ａとも呼ぶ。
【００５８】
さらにユニット筐体１２内には、紙幣投入取出部５、鑑別部１５、一時保留部１６及びリジェクト庫１７と、複数の紙幣収納庫２０乃至２３との間にも、搬送ガイドやローラ、搬送用モータ等の複数種類の搬送路形成部品を有する紙幣搬送部２７が配置されている。
【００５９】
紙幣搬送部２７は、複数種類の搬送路形成部品により、正常な紙幣やリジェクト紙幣を、搬送先を適宜切り換えて複数の紙幣収納庫２０乃至２３やリジェクト庫１７へ振り分けるように搬送するための搬送路２７Ａを形成している。
【００６０】
そして搬送路２７Ａは、２箇所の上端部が下側紙幣搬送路２５Ａ及び後側紙幣搬送路２６Ａに接続されると共に、複数の下端部が複数の紙幣収納庫２０乃至２３に接続されている。
【００６１】
因みに、以下の説明では、紙幣投入取出部５、鑑別部１５、一時保留部１６及びリジェクト庫１７と、複数の紙幣収納庫２０乃至２３との間に配置された紙幣搬送部２７を、振分搬送部２７とも呼ぶ。また、以下の説明では、振分搬送部２７が形成する搬送路２７Ａを、紙幣振分搬送路２７Ａとも呼ぶ。
【００６２】
ところで、紙幣処理ユニット１１では、下側紙幣搬送路２５Ａ、後側紙幣搬送路２６Ａ及び紙幣振分搬送路２７Ａを介して長方形の紙幣を例えば、一方の短辺を左側に位置させ、かつ他方の短辺を右側に位置させて（すなわち、紙幣の長手方向を預払機左右方向とほぼ平行にして）一方の長辺を搬送方向に向けた搬送姿勢で搬送する。
【００６３】
なお、以下の説明では、紙幣の長手方向を、紙幣長手方向とも呼び、当該紙幣の短手方向を、紙幣短手方向とも呼ぶ。
【００６４】
よって紙幣処理ユニット１１では、紙幣投入取出部５、鑑別部１５、一時保留部１６、リジェクト庫１７、複数の紙幣収納庫２０乃至２３において紙幣を、その搬送姿勢に応じて一方の短辺を左側に位置させ、かつ他方の短辺を右側に位置させた（すなわち、紙幣長手方向を預払機左右方向とほぼ平行にした）姿勢で取り扱っている。
【００６５】
実際に制御部１０は、紙幣の入金処理時、顧客により紙幣投入取出部５に１又は複数の紙幣が入金用として投入されると、当該紙幣投入取出部５から１又は複数の紙幣を、１枚ずつ繰り出す。
【００６６】
また制御部１０は、この際、紙幣投入取出部５から１枚ずつ繰り出した紙幣を、下側紙幣搬送路２５Ａを介して鑑別部１５へ搬送して、当該鑑別部１５において、その紙幣の金種や状態等を鑑別させる。
【００６７】
その結果、制御部１０は、鑑別部１５から正常であると鑑別されて繰り出された紙幣については、後側紙幣搬送路２６Ａを介して一時保留部１６へ搬送して一時的に保持させることにより、当該紙幣の入金を保留する。
【００６８】
また制御部１０は、鑑別部１５から破損や折れ等により異常であると鑑別されて繰り出された紙幣については、リジェクト紙幣として後側紙幣搬送路２６Ａを介して紙幣投入取出部５へ搬送することにより、顧客に当該紙幣投入取出部５から取り出させるようにして返却する。
【００６９】
このようにして制御部１０は、鑑別部１５において、紙幣投入取出部５に入金用として投入された紙幣が全て鑑別されると、正常であると鑑別された紙幣の総額（すなわち、入金の金額）を、タッチスクリーン４を介して顧客に提示する。
【００７０】
その結果、制御部１０は、入金の金額を確認した顧客によりタッチスクリーン４を介して紙幣の入金が指示されると、一時保留部１６から一時的に保持していた紙幣を、１枚ずつ繰り出し後側紙幣搬送路２６Ａを介して鑑別部１５へ搬送して、当該鑑別部１５において再び、その紙幣の金種や状態等を鑑別させる。
【００７１】
そして制御部１０は、鑑別部１５から正常であると鑑別されて繰り出された紙幣については、下側紙幣搬送路２５Ａ及び紙幣振分搬送路２７Ａを順次介して当該紙幣の金種に応じた紙幣収納庫２０乃至２３へ搬送して収納する。
【００７２】
ただし、制御部１０は、この際、鑑別部１５から異常であると鑑別されて繰り出された紙幣については、リジェクト紙幣として下側紙幣搬送路２５Ａ、紙幣振分搬送路２７Ａ及び後側紙幣搬送路２６Ａを順次介してリジェクト庫１７へ搬送して収納することにより、その後、出金には用いないようにする。
【００７３】
このようにして制御部１０は、紙幣処理ユニット１１において紙幣の入金処理を実行して、顧客の所望する取引としての紙幣の入金を行うことができる。
【００７４】
一方、制御部１０は、紙幣の出金処理時、例えば、顧客によりタッチスクリーン４を介して出金の金額が指定されると、紙幣収納庫２０乃至２３から、顧客により指定された金額分の紙幣を１枚ずつ繰り出す。
【００７５】
また制御部１０は、この際、紙幣収納庫２０乃至２３から１枚ずつ繰り出した紙幣を、紙幣振分搬送路２７Ａ及び下側紙幣搬送路２５Ａを順次介して鑑別部１５へ搬送して、当該鑑別部１５において紙幣の金種や状態等を鑑別させる。
【００７６】
その結果、制御部１０は、鑑別部１５から正常であると鑑別されて繰り出された紙幣については、後側紙幣搬送路２６Ａを介して紙幣投入取出部５へ搬送する。
【００７７】
ただし、制御部１０は、鑑別部１５から異常であると鑑別されて繰り出された紙幣については、リジェクト紙幣として後側紙幣搬送路２６Ａを介してリジェクト庫１７へ搬送して収納することにより、その後、出金には用いないようにする。
【００７８】
そして制御部１０は、紙幣投入取出部５に、出金用に指定された金額分の紙幣を搬送し終えると、顧客に当該紙幣投入取出部５から、その出金用に指定された金額分の紙幣を取り出させるようにして引き渡す。
【００７９】
このようにして制御部１０は、紙幣処理ユニット１１において紙幣の出金処理を実行して、顧客の所望する取引としての紙幣の出金を行うことができる。
【００８０】
ところで、図３に示すように、預払機筐体２は、例えば、前面２Ａ部分（すなわち、フロントパネル３の下側の部分）が、右側板の前端部に設けられたヒンジ部（図示せず）を介して右開きの扉２ＡＸとして開閉可能に設けられている。
【００８１】
また預払機筐体２には、フロントパネル３の下端部が、当該フロントパネル３の中央部付近に設けられたヒンジ部（図示せず）を介して上開きのカバー３Ａとして開閉可能に設けられている。
【００８２】
さらに預払機筐体２は、左側板の内面下寄りにレールガイド（以下、これを預払機筐体左側レールガイドとも呼ぶ）３０が、その長手方向を預払機前後方向と平行にして配置されている。
【００８３】
さらに預払機筐体２は、右側板の内面下寄りにも図示しないレールガイド（以下、これを預払機筐体右側レールガイドとも呼ぶ）が、その長手方向を預払機前後方向と平行にして配置されている。
【００８４】
一方、ユニット筐体１２は、例えば、左側板の外面下寄りにスライドレール（以下、これをユニット筐体左側スライドレールとも呼ぶ）３１が、その長手方向を預払機前後方向と平行にして配置されている。
【００８５】
またユニット筐体１２は、右側板の外面下寄りにも図示しないスライドレール（以下、これをユニット筐体右側スライドレールとも呼ぶ）が、その長手方向を預払機前後方向と平行にして配置されている。
【００８６】
そしてユニット筐体１２は、ユニット筐体左側スライドレール３１及びユニット筐体右側スライドレールが、預払機筐体２の預払機筐体左側レールガイド３０及び預払機筐体右側レールガイドに係合されている。
【００８７】
これにより預払機筐体２は、紙幣処理ユニット１１を、預払機筐体左側レールガイド３０及び預払機筐体右側レールガイド並びにユニット筐体左側スライドレール３１及びユニット筐体右側スライドレールを介して前後にスライド可能に支持している。
【００８８】
よって現金自動預払機１は、作業者に扉２ＡＸ及びカバー３Ａが開かせて、預払機筐体２の内部（以下、これを筐体内部とも呼ぶ）から紙幣処理ユニット１１をメンテナンス等のために当該預払機筐体２の前側（以下、これを筐体前側とも呼ぶ）に引き出させることができる。
【００８９】
そして現金自動預払機１は、作業者にメンテナンス等が完了すると、紙幣処理ユニット１１を筐体前側から筐体内部に押し込ませた後、扉２ＡＸ及びカバー３Ａを閉じさせて、当該筐体内部に紙幣処理ユニット１１を収納させることができる。
【００９０】
また図４に示すように、ユニット筐体１２は、左側板の内面下寄りにレールガイド（以下、これをユニット筐体左側レールガイドとも呼ぶ）３２が、その長手方向を預払機前後方向と平行にして配置されている。
【００９１】
さらにユニット筐体１２は、右側板の内面下寄りにも図示しないレールガイド（以下、これをユニット筐体右側レールガイドとも呼ぶ）が、その長手方向を預払機前後方向と平行にして配置されている。
【００９２】
一方、収納庫装着ユニット１８は、例えば、左側板の外面下寄りにスライドレール（以下、これを装着ユニット左側スライドレールとも呼ぶ）３３が、その長手方向を預払機前後方向と平行にして配置されている。
【００９３】
また収納庫装着ユニット１８は、右側板の外面下寄りにも図示しないスライドレール（以下、これを装着ユニット右側スライドレールとも呼ぶ）が、その長手方向を預払機前後方向と平行にして配置されている。
【００９４】
そして収納庫装着ユニット１８は、装着ユニット左側スライドレール３３及び装着ユニット右側スライドレールが、ユニット筐体１２のユニット筐体左側レールガイド３２及びユニット筐体右側レールガイドに係合されている。
【００９５】
これによりユニット筐体１２は、収納庫装着ユニット１８を、ユニット筐体左側レールガイド３２及びユニット筐体右側レールガイド並びに装着ユニット左側スライドレール３３及び装着ユニット右側スライドレールを介して前後にスライド可能に支持している。
【００９６】
よって現金自動預払機１は、例えば、筐体内部からユニット筐体１２が筐体前側に引き出された状態で、作業者に収納庫装着ユニット１８を、ユニット筐体１２の内部（以下、これをユニット内部とも呼ぶ）から当該ユニット筐体１２の前側（以下、これをユニット前側とも呼ぶ）に引き出させ、またユニット前側からユニット内部に押し込ませるようにして収納させることができる。
【００９７】
因みに、現金自動預払機１は、特に図示はしないが、預払機筐体２の扉２ＡＸ及びカバー３Ａが開かれた場合、筐体内部にユニット筐体１２が収納されている状態でも、作業者に収納庫装着ユニット１８を、ユニット内部からユニット前側に引き出させ、またユニット前側からユニット内部に押し込むようにして収納させることができる。
【００９８】
ところで、現金自動預払機１では、収納庫装着ユニット１８に着脱可能に装着される複数の紙幣収納庫２０乃至２３に対し、当該現金自動預払機１の外部で複数の紙幣の補充（すなわち、装填）及び回収（取り出し）が行われている。
【００９９】
よって図５に示すように、現金自動預払機１は、ユニット内部から収納庫装着ユニット１８が引き出された場合、作業者に対し当該収納庫装着ユニット１８の複数の装着部１８Ｂにそれぞれ、複数の紙幣が装填された紙幣収納庫２０乃至２３を上から差し込むようにして装着させることができる。
【０１００】
また現金自動預払機１は、ユニット内部から収納庫装着ユニット１８が引き出された場合、作業者に対し当該収納庫装着ユニット１８の複数の装着部１８Ｂからそれぞれ、紙幣の回収用に紙幣収納庫２０乃至２３を引き抜くようにして取り出させることができる。
【０１０１】
（１−３）紙幣収納庫の構成
次いで、複数の紙幣収納庫２０乃至２３の構成について説明する。ただし、複数の紙幣収納庫２０乃至２３は、同様に構成されている。
【０１０２】
このため、以下には、１つの紙幣収納庫２０の構成についてのみ説明し、他の紙幣収納庫２１乃至２３の構成については説明を省略する。
【０１０３】
図６及び図７に示すように、紙幣収納庫２０は、例えば、上下に長い略直方体状の外装ケース４０を有している。
【０１０４】
因みに、以下の説明では、紙幣収納庫２０を、外装ケース４０の正面４０Ａと対峙して見た場合の図中に矢印ａ２で示す左の方向を、収納庫左方向とも呼び、当該収納庫左方向とは逆の方向を、収納庫右方向とも呼ぶ。
【０１０５】
そして、以下の説明では、収納庫左方向及び収納庫右方向を特には区別する必要のない場合、これらをまとめて収納庫左右方向とも呼ぶ。
【０１０６】
また、以下の説明では、紙幣収納庫２０を、外装ケース４０の正面４０Ａと対峙して見た場合の図中に矢印ｂ２で示す上の方向を、収納庫上方向とも呼び、当該収納庫上方向とは逆の方向を、収納庫下方向とも呼ぶ。
【０１０７】
そして、以下の説明では、収納庫上方向及び収納庫下方向を特に区別する必要がない場合、これらをまとめて収納庫上下方向とも呼ぶ。
【０１０８】
さらに、以下の説明では、紙幣収納庫２０を、外装ケース４０の正面４０Ａと対峙して見た場合の図中に矢印ｃ２で示す手前の方向を、収納庫前方向とも呼び、当該収納庫前方向とは逆の方向を、収納庫後方向とも呼ぶ。
【０１０９】
そして、以下の説明では、収納庫前方向及び収納庫後方向を特に区別する必要がない場合、これらをまとめて収納庫前後方向とも呼ぶ。
【０１１０】
紙幣収納庫２０において外装ケース４０の正面４０Ａには、内部に紙幣を装填し、また内部から紙幣を取り出すための略長方形状の扉４１が、例えば、右端部に設けられたヒンジ部（図示せず）を介して開閉可能に設けられている。
【０１１１】
また外装ケース４０の上面４０Ｂには、後寄りに、収納庫左右方向と平行なスリット状の紙幣取込繰出口４０ＢＸが形成されている。
【０１１２】
さらに外装ケース４０の上面４０Ｂには、前端部から左端部及び右端部に亘って略コ字状の溝部が形成され、当該溝部に、紙幣収納庫２０の着脱や運搬の際等に利用可能な略コ字状の取手４２が収納及び引出可能に取り付けられている。
【０１１３】
係る構成に加えて紙幣収納庫２０の場合、外装ケース４０の背面４０Ｃには、中央部の所定位置から当該外装ケース４０の下面４０Ｄにかけて溝状の凹部（以下、これを収納庫凹部とも呼ぶ）４０ＣＳが形成されている。
【０１１４】
そして図８に示すように、外装ケース４０内には、当該外装ケース４０の外観形状に合わせるようにして一回り小さく形成された略箱型の筐体（以下、これを収納庫筐体とも呼ぶ）４５が配置されている。
【０１１５】
この場合、収納庫筐体４５の底板４５Ａは、例えば、収納庫左右方向に長い長方形の平板状に形成されている。
【０１１６】
そして底板４５Ａは、その幅（すなわち、収納庫左右方向の長さ）が、紙幣の長辺の長さよりも比較的長いものの、外装ケース４０の幅（すなわち、外装ケース４０の左側面４０Ｅ及び右側面４０Ｆ間の長さ）よりも僅かに短い所定長さに選定されている。
【０１１７】
また底板４５Ａは、その奥行（すなわち、収納庫前後方向の長さ）が、外装ケース４０の奥行（すなわち、外装ケース４０の正面４０Ａ及び背面４０Ｃ間の長さ）よりも比較的短く、紙幣の短辺の長さとほぼ等しい所定長さに選定されている。
【０１１８】
収納庫筐体４５の左側板４５Ｂ及び右側板４５Ｃは、例えば、下端部よりも上端部が後側に張り出したような略Ｌ字平板状に形成されている。
【０１１９】
また左側板４５Ｂ及び右側板４５Ｃは、その高さ（すなわち、収納庫上下方向の長さ）が外装ケース４０の高さ（すなわち、外装ケース４０の上面４０Ｂ及び下面４０Ｄ間の長さ）よりも僅かに短い所定長さに選定されている。
【０１２０】
さらに左側板４５Ｂ及び右側板４５Ｃは、下端部の奥行（すなわち、収納庫前後方向の長さ）が底板４５Ａの奥行とほぼ等しい所定長さに選定されると共に、上端部の奥行が下端部の奥行よりも長いものの、外装ケース４０の奥行よりも僅かに短い所定長さに選定されている。
【０１２１】
さらにまた左側板４５Ｂ及び右側板４５Ｃは、それぞれ前端部に、上縁寄りの所定位置から下縁寄りの所定位置までに亘る収納庫上下方向と平行な長孔４５ＢＸ及び４５ＣＸが穿設されている。
【０１２２】
そして収納庫筐体４５において左側板４５Ｂは、例えば、その直線状の前縁を底板４５Ａの前縁と面一にし、かつ上端部の後側を当該底板４５Ａの後縁よりも後へ突出させて、下縁を底板４５Ａの左縁よりも内側の所定位置に接合するようにして設けられている。
【０１２３】
また収納庫筐体４５において右側板４５Ｃは、例えば、その直線状の前縁を底板４５Ａの前縁と面一にし、かつ上端部の後側を当該底板４５Ａの後縁よりも後へ突出させて、下縁を底板４５Ａの右縁よりも内側の所定位置に接合するようにして設けられている。
【０１２４】
すなわち、収納庫筐体４５において左側板４５Ｂ及び右側板４５Ｃは、底板４５Ａに対し紙幣の長辺の長さよりも僅かに長い所定距離を介して対向させて設けられ、その底板４５Ａの左端部及び右端部を当該左側板４５Ｂ及び右側板４５Ｃから僅かに左側及び右側へ張り出させている。
【０１２５】
因みに、以下の説明では、収納庫筐体４５の底板４５Ａの左端部において、左側板４５Ｂよりも左へ張り出している部分を、左端張出部とも呼ぶ。
【０１２６】
また、以下の説明では、収納庫筐体４５の底板４５Ａの右端部において、右側板４５Ｃよりも右へ張り出している部分を、右端張出部とも呼ぶ。
【０１２７】
収納庫筐体４５の後板４５Ｄは、例えば、下端部は平坦に形成されるものの、上端部が緩やかなＳ字を描くように屈曲されて当該下端部よりも後斜め上側へせりだすように形成されている。
【０１２８】
また後板４５Ｄは、例えば、その幅（すなわち、収納庫左右方向の長さ）が、左側板４５Ｂ及び右側板４５Ｃ間の距離とほぼ等しい所定長さに選定されると共に、その高さ（すなわち、収納庫上下方向の長さ）が当該左側板４５Ｂ及び右側板４５Ｃの高さとほぼ等しい所定長さに選定されている。
【０１２９】
そして収納庫筐体４５において後板４５Ｄは、例えば、左側板４５Ｂ及び右側板４５Ｃの間に、下縁を底板４５Ａの後縁中央部に接合すると共に、左縁及び右縁を当該左側板４５Ｂ及び右側板４５Ｃの下端部の後縁から上端部の所定位置に亘って接合するようにして設けられている。
【０１３０】
すなわち、収納庫筐体４５において後板４５Ｄは、下端部を左側板４５Ｂ及び右側板４５Ｃの後縁に沿わせるようして収納庫上下方向と平行にし、かつ上縁を当該左側板４５Ｂ及び右側板４５Ｃの後上隅間よりも僅かに手前に位置させるようにして設けられている。
【０１３１】
収納庫筐体４５の上板４５Ｅは、例えば、前端部は平坦に形成されるものの、後端部が後板４５Ｄの上端部の屈曲形状に沿って弓形状に屈曲されて当該前端部よりも後斜め上側へせりだすように形成されている。
【０１３２】
また上板４５Ｅは、例えば、その幅（すなわち、収納庫左右方向の長さ）が、左側板４５Ｂ及び右側板４５Ｃ間の距離とほぼ等しい所定長さに選定されると共に、その奥行（すなわち、収納庫前後方向の長さ）が左側板４５Ｂ及び右側板４５Ｃの上端部の奥行きよりも僅かに短い所定長さに選定されている。
【０１３３】
そして収納庫筐体４５において上板４５Ｅは、例えば、左側板４５Ｂ及び右側板４５Ｃの上端部の間に、前縁を左側板４５Ｂ及び右側板４５Ｃの前縁と面一にして、左縁及び右縁を当該左側板４５Ｂ及び右側板４５Ｃの上端部の所定位置に接合するようにして設けられている。
【０１３４】
すなわち、収納庫筐体４５において上板４５Ｅは、前端部を左側板４５Ｂ及び右側板４５Ｃの上縁よりも下側で収納庫前後方向と平行にし、かつ後縁を後板４５Ｄの上縁よりも僅かに前側に位置させて、後端部を当該後板４５Ｄの上端部と所定の隙間を空けて近接させるようにして設けられている。
【０１３５】
このようにして収納庫筐体４５は、底板４５Ａ、左側板４５Ｂ、右側板４５Ｃ、後板４５Ｄ及び上板４５Ｅを組み合わせるようにして、前端に扉４１に対応する開口部を有するように形成されている。
【０１３６】
そして収納庫筐体４５は、外装ケース４０に対し扉４１が閉じられた場合に、その扉４１の内面に開口部を近接又は接触させるように、当該外装ケース４０に収納されている。
【０１３７】
これにより収納庫筐体４５は、外装ケース４０に対し扉４１が閉じられた場合、左側板４５Ｂの下端部、右側板４５Ｃの下端部、後板４５Ｄの下端部及び上板４５Ｅの前端部と共に扉４１により、複数の紙幣を収納庫上方向に沿って順に重ねるようにして収納可能な、収納庫上下方向に長い略直方体状の紙幣収納空間を形成する。
【０１３８】
また収納庫筐体４５は、左側板４５Ｂの後上端部、右側板４５Ｃの後上端部、後板４５Ｄの上端部及び上板４５Ｅの後端部により、紙幣収納空間と外装ケース４０の紙幣取込繰出口４０ＢＸとを繋いで紙幣１３０を取込及び繰出用に通すための紙幣取込繰出路を形成している。
【０１３９】
そして図９に示すように、紙幣収納庫２０は、収納庫筐体４５を利用して、外装ケース４０内の上前端部から下前端部までに亘る略直方体状の配置スペース（すなわち、前寄り）に、紙幣収納空間に複数の紙幣を収納しておくためのステージ昇降部４６が配置されている。
【０１４０】
また紙幣収納庫２０は、収納庫筐体４５を利用して、外装ケース４０内の上端部から左後中央部までに亘る略Ｌ字ブロック状の配置スペースに、外部から紙幣を取り込み、また外部へ紙幣を繰り出すための紙幣取込繰出部４７が配置されている。
【０１４１】
図１０及び図１１に示すように、ステージ昇降部４６は、収納庫筐体４５が形成する紙幣収納空間で、一面４８Ａに紙幣を載上するための例えば、略長方形平板状のステージ４８を有している。
【０１４２】
またステージ昇降部４６は、ステージ４８を、その紙幣収納空間で当該ステージ４８の長手方向を収納庫左右方向と平行にし、かつ一面４８Ａを収納庫上方向へ向けた姿勢で上昇及び下降させるためのステージ駆動部４９も有している。因みに、以下の説明では、ステージ４８の長手方向を、ステージ長手方向とも呼ぶ。
【０１４３】
ステージ４８は、収納庫上方向へ向けられる長方形の一面４８Ａが、紙幣を載上可能なように例えば、当該紙幣の一面の大きさとほぼ等しい大きさに選定されている。
【０１４４】
またステージ４８は、左側面のほぼ中央部に短冊状の係止部取付板（以下、これを左係止部取付板とも呼ぶ）４８Ｂが一面４８Ａに対して垂直となるように設けられ、当該左係止部取付板４８Ｂの先端部を一面４８Ａ側に突出させている。
【０１４５】
そしてステージ４８は、左係止部取付板４８Ｂの外面に昇降用ベルト係止部（以下、これを左昇降用ベルト係止部とも呼ぶ）４８ＢＸが植設されている。
【０１４６】
さらにステージ４８は、右側面のほぼ中央部にも短冊状の係止部取付板（以下、これを右係止部取付板とも呼ぶ）４８Ｃが一面４８Ａに対して垂直となるように設けられ、当該右係止部取付板４８Ｃの先端部を一面４８Ａ側に突出させている。
【０１４７】
そしてステージ４８は、右係止部取付板４８Ｃの外面にも昇降用ベルト係止部（以下、これを右昇降用ベルト係止部とも呼ぶ）４８ＣＸが植設されている。
【０１４８】
さらにステージ４８は、左側面において例えば、左係止部取付板４８Ｂよりも前に、ガイド係合アーム４８Ｄが、その先端部に穿設された円形のガイド挿通孔部を収納庫上下方向に向けて突設されている。
【０１４９】
因みに、以下の説明では、ステージ４８の左側面に突設されたガイド係合アーム４８Ｄを、左ガイド係合アーム４８Ｄとも呼び、当該左ガイド係合アーム４８Ｄの先端部に穿設されたガイド挿通孔部を、左ガイド挿通孔部とも呼ぶ。
【０１５０】
さらにステージ４８は、右側面において例えば、右係止部取付板４８Ｃよりも前に、ガイド係合アーム４８Ｅが、その先端部に穿設された円形のガイド挿通孔部を収納庫上下方向に向けて突設されている。
【０１５１】
因みに、以下の説明では、ステージ４８の右側面に突設されたガイド係合アーム４８Ｅを、右ガイド係合アーム４８Ｅとも呼び、当該右ガイド係合アーム４８Ｅの先端部に穿設されたガイド挿通孔部を、右ガイド挿通孔部とも呼ぶ。
【０１５２】
またステージ駆動部４９は、ステージ４８の左ガイド挿通孔部及び右ガイド挿通孔部の直径とほぼ等しい直径を有し、収納庫筐体４５の高さとほぼ等しい所定長さの円柱状の一対の昇降ガイド５０、５１を有している。
【０１５３】
この場合、一方の昇降ガイド５０は、その長手方向を収納庫上下方向と平行にして例えば下端を、収納庫筐体４５において左側板４５Ｂの長孔４５ＢＸの左側となる、底板４５Ａの左端張出部の前寄り所定位置に接合するようにして設けられている。
【０１５４】
また他方の昇降ガイド５１は、その長手方向を収納庫上下方向と平行にして例えば下端を、収納庫筐体４５において右側板４５Ｃの長孔４５ＣＸの右側になる、底板４５Ａの右端張出部の前寄り所定位置に接合するようにして設けられている。
【０１５５】
因みに、以下の説明では、収納庫筐体４５の底板４５Ａにおいて左端張出部の前寄り所定位置に下端を接合するようにして設けられた（すなわち、収納庫筐体４５の底板４５Ａの左端張出部に植設された）一方の昇降ガイド５０を、左昇降ガイド５０とも呼ぶ。
【０１５６】
また、以下の説明では、収納庫筐体４５の底板４５Ａにおいて右端張出部の前寄り所定位置に下端を接合するようにして設けられた（すなわち、収納庫筐体４５の底板４５Ａの右端張出部に植設された）他方の昇降ガイド５１を、右昇降ガイド５１とも呼ぶ。
【０１５７】
そしてステージ４８は、左ガイド係合アーム４８Ｄの先端部を、収納庫筐体４５の左側板４５Ｂの長孔４５ＢＸに当該左側板４５Ｂの内面側から通して外面よりも左側に突出させて、左ガイド挿通孔部に左昇降ガイド５０が挿通されている。
【０１５８】
またステージ４８は、右ガイド係合アーム４８Ｅの先端部を、収納庫筐体４５の右側板４５Ｃの長孔４５ＣＸに当該右側板４５Ｃの内面側から通して外面よりも右側に突出させて、右ガイド挿通孔部に右昇降ガイド５１が挿通されている。
【０１５９】
これによりステージ駆動部４９は、左昇降ガイド５０及び右昇降ガイド５１を介してステージ４８を、紙幣収納空間でステージ長手方向を収納庫左右方向と平行にし、かつ一面４８Ａを収納庫上方向へ向けた姿勢で昇降可能（すなわち、収納庫上下方向へ移動可能）なように支持している。
【０１６０】
さらにステージ駆動部４９は、例えば、ステージ４８の昇降用として、大きさの等しい４個の昇降用プーリ５２乃至５５を有している。
【０１６１】
さらにステージ駆動部４９は、例えば、ステージ４８の昇降用として、昇降用プーリ５２乃至５５の幅よりも僅かに長い所定長さの一対のプーリ支持軸５６、５７も有している。
【０１６２】
さらにまたステージ駆動部４９は、例えば、ステージ４８の昇降用として、紙幣の長辺の長さよりも長く、かつ収納庫筐体４５の底板４５Ａの幅よりも短い所定長さの１本のプーリ駆動軸５８も有している。
【０１６３】
一方のプーリ支持軸５６は、収納庫左右方向と平行な姿勢で、収納庫筐体４５の左側板４５Ｂの外面において例えば、長孔４５ＢＸの上端部の後斜め上に植設されている。
【０１６４】
そして一方のプーリ支持軸５６は、昇降用プーリ５２の中心に穿設された孔部に挿入されて、収納庫筐体４５の左側板４５Ｂの左側で当該昇降用プーリ５２を矢印ｄ２で示す一回転方向及びこれとは逆の他回転方向へ回動可能に支持している。
【０１６５】
因みに、以下の説明では、収納庫筐体４５の左側板４５Ｂの外面に植設された一方のプーリ支持軸５６によって回動可能に支持され、長孔４５ＢＸの上端部の後斜め上に位置する昇降用プーリ５２を、左上昇降用プーリ５２とも呼ぶ。
【０１６６】
また他方のプーリ支持軸５７は、収納庫左右方向と平行な姿勢で、収納庫筐体４５の右側板４５Ｃの外面において例えば、一方のプーリ支持軸５６の植設位置と対向する、長孔４５ＣＸの上端部の後斜め上に植設されている。
【０１６７】
そして他方のプーリ支持軸５７は、先端部を昇降用プーリ５３の中心に穿設された孔部に挿入されて、収納庫筐体４５の右側板４５Ｃの右側で当該昇降用プーリ５３を一回転方向及び他回転方向へ回動可能に支持している。
【０１６８】
因みに、以下の説明では、収納庫筐体４５の右側板４５Ｃの外面に植設された他方のプーリ支持軸５７によって回動可能に支持され、長孔４５ＣＸの上端部の後斜め上に位置する昇降用プーリ５３を、右上昇降用プーリ５３とも呼ぶ。
【０１６９】
さらに収納庫筐体４５の左側板４５Ｂ及び右側板４５Ｃは、例えば、一対のプーリ支持軸５６、５７の真下の位置となる、長孔４５ＢＸ、４５ＣＸの下端部の後斜め下に一対の軸受部（図示せず）が設けられている。
【０１７０】
さらに収納庫筐体４５の左側板４５Ｂ及び右側板４５Ｃは、これら一対の軸受部に対応させて一対の駆動軸用支持孔部（図示せず）が穿設されている。
【０１７１】
そしてプーリ駆動軸５８は、収納庫左右方向と平行な姿勢で収納庫筐体４５により、左側板４５Ｂ及び右側板４５Ｃの一対の軸受部を介して一回転方向及び他回転方向へ回動可能に支持されている。
【０１７２】
ただし、プーリ駆動軸５８は、一端部を左側板４５Ｂの駆動軸用支持孔部に通して当該左側板４５Ｂの左側に突出させると共に、他端部を右側板４５Ｃの駆動軸用支持孔部に通して当該右側板４５Ｃの右側に突出させている。
【０１７３】
そしてプーリ駆動軸５８は、収納庫筐体４５の左側板４５Ｂの左側で、一端部に昇降用プーリ５４が、その中心に穿設された孔部を介して取り付けられて（すなわち、固着されて）いる。
【０１７４】
因みに、以下の説明では、プーリ駆動軸５８の一端部に取り付けられて、左側板４５Ｂの長孔４５ＢＸの下端部の後斜め下に位置する昇降用プーリ５４を、左下昇降用プーリ５４とも呼ぶ。
【０１７５】
またプーリ駆動軸５８は、収納庫筐体４５の右側板４５Ｃの右側で、他端部に昇降用プーリ５５が、その中心に穿設された孔部を介して取り付けられて（すなわち、固着されて）いる。
【０１７６】
因みに、以下の説明では、プーリ駆動軸５８の他端部に取り付けられて、右側板４５Ｃの長孔４５ＣＸの下端部の後斜め下に位置する昇降用プーリ５５を、右下昇降用プーリ５５とも呼ぶ。
【０１７７】
そしてステージ駆動部４９は、左上昇降用プーリ５２から左下昇降用プーリ５４に亘り無端状のベルト（以下、これを左昇降用ベルトとも呼ぶ）５９が、当該左上昇降用プーリ５２及び左下昇降用プーリ５４間の一対の直線状の部分を収納庫上下方向と平行にしてかけられている。
【０１７８】
またステージ駆動部４９は、右上昇降用プーリ５３から右下昇降用プーリ５５に亘っても同様に無端状のベルト（以下、これを右昇降用ベルトとも呼ぶ）６０が、当該右上昇降用プーリ５３及び右下昇降用プーリ５５間の一対の直線状部分を収納庫上下方向と平行にしてかけられている。
【０１７９】
これに加えてステージ駆動部４９は、当該ステージ駆動部４９の駆動源となる後述するモータ（以下、これをステージ駆動モータとも呼ぶ）が発生させる駆動力をプーリ駆動軸５８へ伝達するための１本の第１ギア回動軸６１を有している。
【０１８０】
またステージ駆動部４９は、ステージ駆動モータが発生させる駆動力をプーリ駆動軸５８へ伝達するための１個のギアプーリ６２と、１個の第１駆動プーリ６３とを有している。
【０１８１】
ステージ駆動部４９は、例えば、収納庫筐体４５の右側板４５Ｃの上端部の外面において、プーリ駆動軸５８の他端部の後斜め上側の所定位置（すなわち、右側板４５Ｃの上端部において下端部寄りの所定位置）に第１ギア用軸受部（図示せず）が設けられている。
【０１８２】
そして第１ギア回動軸６１は、収納庫筐体４５の右側板４５Ｃに設けられた第１ギア用軸受部により、収納庫左右方向と平行な姿勢で、かつ先端部を当該右側板４５Ｃの右側に突出させるようにして一回転方向及び他回転方向に回動可能に支持されている。
【０１８３】
また第１ギア回動軸６１は、先端部にギアプーリ６２が、そのギア部６２Ａを左側に位置させ、かつプーリ部６２Ｂを右側に位置させた姿勢で、当該ギアプーリ６２の中心に穿設された孔部を介して取り付けられて（すなわち、固着されて）いる。
【０１８４】
さらに第１駆動プーリ６３は、例えば、プーリ駆動軸５８の他端部において右下昇降用プーリ５５よりも右側に、当該第１駆動プーリ６３の中心に穿設された孔部を介して取り付けられて（すなわち、固着されて）いる。
【０１８５】
そしてステージ駆動部４９は、ギアプーリ６２のプーリ部６２Ｂから第１駆動プーリ６３に亘り無端状のベルト（以下、これを第１駆動ベルトとも呼ぶ）６４が、当該ギアプーリ６２のプーリ部６２Ｂと第１駆動プーリ６３との間の一対の直線状部分を後斜め上方向と平行にしてかけられている。
【０１８６】
ところで、ステージ４８は、左ガイド係合アーム４８Ｄの先端部と共に左昇降用ベルト係止部４８ＢＸも、収納庫筐体４５の左側板４５Ｂの長孔４５ＢＸに当該左側板４５Ｂの内面側から通して外面よりも左側に突出させている。
【０１８７】
そしてステージ４８は、左昇降用ベルト係止部４８ＢＸが、ステージ駆動部４９の左昇降用ベルト５９において収納庫上下方向と平行な一対の直線状部分のうち例えば、一方の前側の直線状部分の所定位置に係止されている。
【０１８８】
またステージ４８は、右ガイド係合アーム４８Ｅの先端部と共に右昇降用ベルト係止部４８ＣＸも収納庫筐体４５の右側板４５Ｃの長孔４５ＣＸに当該右側板４５Ｃの内面側から通して外面よりも右側に突出させている。
【０１８９】
そしてステージ４８は、右昇降用ベルト係止部４８ＣＸが、ステージ駆動部４９の右昇降用ベルト６０において収納庫上下方向と平行な一対の直線状部分のうち例えば、一方の前側の直線状部分の所定位置に係止されている。
【０１９０】
係る構成のもと、ステージ昇降部４６は、ステージ駆動モータによりステージ駆動部４９においてギアプーリ６２が一回転方向へ回転すると、その回転に連動させて第１駆動ベルト６４と共に第１駆動プーリ６３も一回転方向へ回転させる。
【０１９１】
よってステージ昇降部４６は、この際、ステージ駆動部４９において第１駆動プーリ６３と共にプーリ駆動軸５８と、これに取り付けられている左下昇降用プーリ５４及び右下昇降用プーリ５５も一回転方向へ回転させる。
【０１９２】
またステージ昇降部４６は、左下昇降用プーリ５４及び右下昇降用プーリ５５の一回転方向への回転に連動させて左昇降用ベルト５９及び右昇降用ベルト６０と共に左上昇降用プーリ５２及び右上昇降用プーリ５３も同一の一回転方向へ回転させる。
【０１９３】
これによりステージ昇降部４６は、このようにステージ駆動部４９の左昇降用ベルト５９及び右昇降用ベルト６０が同一の一回転方向へ回転した場合、これに連動させてステージ４８を、一面４８Ａを収納庫上方向に向けて水平にしたまま上昇させる（すなわち、収納庫上方向へ移動させる）ことができる。
【０１９４】
これに対しステージ昇降部４６は、ステージ駆動モータによりステージ駆動部４９においてギアプーリ６２が他回転方向へ回転すると、その回転に連動させて第１駆動ベルト６４と共に第１駆動プーリ６３も他回転方向へ回転させる。
【０１９５】
よってステージ昇降部４６は、この際、ステージ駆動部４９において第１駆動プーリ６３と共にプーリ駆動軸５８と、これに取り付けられている左下昇降用プーリ５４及び右下昇降用プーリ５５も他回転方向へ回転させる。
【０１９６】
またステージ昇降部４６は、左下昇降用プーリ５４及び右下昇降用プーリ５５の他回転方向への回転に連動させて左昇降用ベルト５９及び右昇降用ベルト６０と共に左上昇降用プーリ５２及び右上昇降用プーリ５３も同一の他回転方向へ回転させる。
【０１９７】
これによりステージ昇降部４６は、このようにステージ駆動部４９の左昇降用ベルト５９及び右昇降用ベルト６０が同一の他回転方向へ回転した場合、これに連動させてステージ４８を、一面４８Ａを収納庫上方向に向けて水平にしたまま下降させる（すなわち、収納庫下方向へ移動させる）ことができる。
【０１９８】
一方、図１２及び図１３に示すように、紙幣取込繰出部４７は、例えば、第１乃至第６ローラ回動軸６５乃至７０を有している。
【０１９９】
紙幣取込繰出部４７は、例えば、収納庫筐体４５の左側板４５Ｂ及び右側板４５Ｃの上端部の内面において上板４５Ｅの平坦な前端部と、屈曲された後端部との境界部分の後斜め上に、一対の第１ローラ用軸受部７１、７２が対向配置されている。
【０２００】
また収納庫筐体４５の左側板４５Ｂは、例えば、第１ローラ用軸受部７１に対応させて第１軸挿通孔部（図示せず）が穿設されている。
【０２０１】
そして第１ローラ回動軸６５は、例えば、収納庫筐体４５の左側板４５Ｂ及び右側板４５Ｃ間の距離よりも長い所定長さに選定されている。
【０２０２】
これにより第１ローラ回動軸６５は、収納庫筐体４５により一対の第１ローラ用軸受部７１、７２を介して、収納庫左右方向と平行な姿勢で一回転方向及び他回転方向へ回動可能に支持されると共に、一端部を第１軸挿通孔部に通して左側板４５Ｂの左側に突出させている。
【０２０３】
また第１ローラ回動軸６５は、例えば、２個のフィードローラ７３、７４が、収納庫筐体４５の左側板４５Ｂ及び右側板４５Ｃ間の中心から左右に所定の等間隔で位置するように、当該２個のフィードローラ７３、７４各々の中心に穿設された孔部を介して取り付けられて（すなわち、固着されて）いる。
【０２０４】
２個のフィードローラ７３、７４は、等しい直径を有し、例えば、その幅方向の一端部及び他端部にそれぞれ周側面の一周に亘る凹部が形成されている。
【０２０５】
そして２個のフィードローラ７３、７４は、それぞれ周側面において下側の所定部分を、当該所定部分に対応させて収納庫筐体４５の上板４５Ｅに穿設された孔部（図示せず）を介して紙幣取込繰出路内に入り込ませている。
【０２０６】
さらに第１ローラ回動軸６５は、例えば、収納庫筐体４５の左側板４５Ｂ及び右側板４５Ｃ間において左側に位置する一方のフィードローラ７３の左隣に当該フィードローラ７３の直径と等しい直径を有する１個の補助ローラ７５が、その中心に穿設された孔部を介して取り付けられて（すなわち、固着されて）いる。
【０２０７】
さらにまた第１ローラ回動軸６５は、例えば、収納庫筐体４５の左側板４５Ｂ及び右側板４５Ｃ間において右側に位置する他方のフィードローラ７４の右隣にも、当該フィードローラ７４の直径と等しい直径を有する１個の補助ローラ７６が、その中心に穿設された孔部を介して取り付けられて（すなわち、固着されて）いる。
【０２０８】
そして、これら２個の補助ローラ７５、７６も、それぞれ周側面において下側の所定部分を、当該所定部分に対応させて収納庫筐体４５の上板４５Ｅに穿設された孔部を介して紙幣取込繰出路内に入り込ませている。
【０２０９】
このようにして紙幣取込繰出部４７には、２個のフィードローラ７３、７４及び２個の補助ローラ７５、７６が、それぞれ紙幣取込繰出路内に下側の所定部分を入り込ませた状態で、第１ローラ回動軸６５と共に一回転方向及び他回転方向へ回動可能に設けられている。
【０２１０】
また紙幣取込繰出部４７は、例えば、収納庫筐体４５の左側板４５Ｂ及び右側板４５Ｃの上端部の内面においてフィードローラ７３、７４のほぼ真下となる、後板４５Ｄの平坦な下端部と、屈曲された上端部との境界部分の後斜め下に、一対の第２ローラ用軸受部７７、７８が対向配置されている。
【０２１１】
また収納庫筐体４５の左側板４５Ｂは、例えば、第２ローラ用軸受部７７に対応させて第２軸挿通孔部（図示せず）が穿設されている。
【０２１２】
そして第２ローラ回動軸６６は、例えば、収納庫筐体４５の左側板４５Ｂ及び右側板４５Ｃ間の距離よりも長い所定長さに選定されている。
【０２１３】
これにより第２ローラ回動軸６６は、収納庫筐体４５により一対の第２ローラ用軸受部７７、７８を介して、収納庫左右方向と平行な姿勢で一回転方向及び他回転方向へ回動可能に支持されると共に、一端部を第２軸挿通孔部に通して左側板４５Ｂの左側に突出させている。
【０２１４】
また第２ローラ回動軸６６は、例えば、収納庫筐体４５の左側板４５Ｂ及び右側板４５Ｃ間の部分において２個のフィードローラ７３、７４と対向する位置に、２個の分離ローラ７９、８０がそれぞれ、回転方向を制限するワンウェイクラッチ（図示せず）を介して設けられている。
【０２１５】
２個の分離ローラ７９、８０は、例えば、その幅方向の一端部、中央部及び他端部にそれぞれ周側面の一周に亘る凹部が形成されている。
【０２１６】
そして２個の分離ローラ７９、８０は、それぞれ周側面において上側の所定部分を、当該所定部分に対応させて収納庫筐体４５の後板４５Ｄに穿設された孔部（図示せず）を介して紙幣取込繰出路内に入り込ませている。
【０２１７】
これにより紙幣取込繰出部４７は、紙幣取込繰出路内で、２個のフィードローラ７３、７４の周側面の凹部及び凸部を、２個の分離ローラ７９、８０の周側面の対向する凸部及び凹部と僅かにかみ合わせている。
【０２１８】
さらに第２ローラ回動軸６６は、例えば、収納庫筐体４５の左側板４５Ｂ及び右側板４５Ｃ間において左側に位置する一方の分離ローラ７９の左側に３個の羽根車８１乃至８３が、ワンウェイクラッチ（図示せず）を介して設けられている。
【０２１９】
さらにまた第２ローラ回動軸６６は、例えば、収納庫筐体４５の左側板４５Ｂ及び右側板４５Ｃ間において右側に位置する他方の分離ローラ８０の右側にも３個の羽根車８４乃至８６がワンウェイクラッチ（図示せず）を介して設けられている。
【０２２０】
６個の羽根車８１乃至８３、８４乃至８６は、例えば、周側面の所定の角度範囲（例えば、６０度）に弾力性を有する複数の羽根が一定の間隔で放射状に設けられている。
【０２２１】
そして６個の羽根車８１乃至８３、８４乃至８６は、複数の羽根を適宜、収納庫筐体４５の後板４５Ｄに穿設された孔部（図示せず）を介して紙幣取込繰出路内及び紙幣収納空間に入り込ませている。
【０２２２】
このようにして紙幣取込繰出部４７には、２個の分離ローラ７９、８０及び６個の羽根車８１乃至８３、８４乃至８６が、それぞれワンウェイクラッチの作用により他回転方向へのみ回転可能に設けられている。
【０２２３】
すなわち、紙幣取込繰出部４７は、第２ローラ回動軸６６が他回転方向へ回転した場合、ワンウェイクラッチの作用により、当該第２ローラ回動軸６６の他回転方向への回転に連動させて２個の分離ローラ７９、８０及び６個の羽根車８１乃至８３、８４乃至８６も同一の他回転方向へ回転させることができる。
【０２２４】
また紙幣取込繰出部４７は、第２ローラ回動軸６６が一回転方向へ回転した場合は、ワンウェイクラッチの作用により、２個の分離ローラ７９、８０及び６個の羽根車８１乃至８３、８４乃至８６を一回転方向へは回転させずに停止させたままにすることができる。
【０２２５】
さらに紙幣取込繰出部４７は、例えば、収納庫筐体４５の左側板４５Ｂ及び右側板４５Ｃの上端部の内面において後板４５Ｄの屈曲された上端部よりも後に、一対の第３ローラ用軸受部（図示せず）が対向配置されている。
【０２２６】
そして第３ローラ回動軸６７は、例えば、収納庫筐体４５の左側板４５Ｂ及び右側板４５Ｃ間の距離とほぼ等しい所定長さに選定されている。
【０２２７】
これにより第３ローラ回動軸６７は、収納庫筐体４５により一対の第３ローラ用軸受部を介して、収納庫左右方向と平行な姿勢で一回転方向及び他回転方向へ回動可能に支持されている。
【０２２８】
また第３ローラ回動軸６７は、例えば、中央部に２個のフィードローラ７３、７４と対向させて２個のプレッシャローラ８７（図１２には１つのみ図示し、図１３には２個とも図示せず）が、これらの中心に穿設された孔部を介して取り付けられて（すなわち、固着されて）いる。
【０２２９】
そして２個のプレッシャローラ８７は、それぞれ周側面において前斜め上側の所定部分を、当該所定部分に対応させて収納庫筐体４５の後板４５Ｄに穿設された孔部（図示せず）を介して紙幣取込繰出路内に入り込ませている。
【０２３０】
これにより紙幣取込繰出部４７は、紙幣取込繰出路内で、２個のフィードローラ７３、７４の周側面の後斜め下の部分に、２個のプレッシャローラ８７の周側面の前斜め上の部分を押し付けている。
【０２３１】
このようにして紙幣取込繰出部４７には、２個のプレッシャローラ８７が、２個のフィードローラ７３、７４の一回転方向及び他回転方向への回転に連動して当該２個のフィードローラ７３、７４とは逆の他回転方向及び一回転方向へ回動可能に設けられている。
【０２３２】
さらに紙幣取込繰出部４７は、例えば、収納庫筐体４５の左側板４５Ｂ及び右側板４５Ｃの上端部の内面において上板４５Ｅの後縁よりも前斜め下に、一対の第４ローラ用軸受部８８、８９が対向配置されている。
【０２３３】
また収納庫筐体４５の左側板４５Ｂは、例えば、第４ローラ用軸受部８８に対応させて第４軸挿通孔部（図示せず）が穿設されている。
【０２３４】
そして第４ローラ回動軸６８は、例えば、収納庫筐体４５の左側板４５Ｂ及び右側板４５Ｃ間の距離よりも長い所定長さに選定されている。
【０２３５】
これにより第４ローラ回動軸６８は、収納庫筐体４５により一対の第４ローラ用軸受部８８、８９を介して、収納庫左右方向と平行な姿勢で一回転方向及び他回転方向へ回動可能に支持されると共に、一端部を第４軸挿通孔部に通して左側板４５Ｂの左側に突出させている。
【０２３６】
また第４ローラ回動軸６８は、例えば、２個の搬送ローラ９０、９１が、収納庫筐体４５の左側板４５Ｂ及び右側板４５Ｃ間の中心から左右に所定の等間隔で位置するように、当該２個の搬送ローラ９０、９１各々の中心に穿設された孔部を介して取り付けられて（すなわち、固着されて）いる。
【０２３７】
そして２個の搬送ローラ９０、９１は、それぞれ周側面において後側の所定部分を、当該所定部分に対応させて収納庫筐体４５の上板４５Ｅの後端部に穿設された孔部（図示せず）を介して紙幣取込繰出路内に入り込ませている。
【０２３８】
このようにして紙幣取込繰出部４７には、２個の搬送ローラ９０、９１が、それぞれ紙幣取込繰出路内に後側の所定部分を入り込ませた状態で、第４ローラ回動軸６８と共に一回転方向及び他回転方向へ回動可能に設けられている。
【０２３９】
さらに紙幣取込繰出部４７は、例えば、収納庫筐体４５の左側板４５Ｂ及び右側板４５Ｃの上端部の内面において後板４５Ｄの上縁よりも後斜め下に、一対の第５ローラ用軸受部（図示せず）が対向配置されている。
【０２４０】
そして第５ローラ回動軸６９は、例えば、収納庫筐体４５の左側板４５Ｂ及び右側板４５Ｃ間の距離とほぼ等しい所定長さに選定されている。
【０２４１】
これにより第５ローラ回動軸６９は、収納庫筐体４５により一対の第５ローラ用軸受部を介して、収納庫左右方向と平行な姿勢で一回転方向及び他回転方向へ回動可能に支持されている。
【０２４２】
また第５ローラ回動軸６９は、例えば、中央部に２個の搬送ローラ９０、９１と対向させて２個のプレッシャローラ９２（図１２には１つのみ図示し、図１３には２個とも図示せず）が、これらの中心に穿設された孔部を介して取り付けられて（すなわち、固着されて）いる。
【０２４３】
そして２個のプレッシャローラ９２は、それぞれ周側面において前側の所定部分を、当該所定部分に対応させて収納庫筐体４５の後板４５Ｄに穿設された孔部（図示せず）を介して紙幣取込繰出路内に入り込ませている。
【０２４４】
これにより紙幣取込繰出部４７は、紙幣取込繰出路内で、２個の搬送ローラ９０、９１の周側面の後側の所定部分に、２個のプレッシャローラ９２の周側面の前側の所定部分を押し付けている。
【０２４５】
このようにして紙幣取込繰出部４７には、２個のプレッシャローラ９２が、２個の搬送ローラ９０、９１の一回転方向及び他回転方向への回転に連動して、当該２個の搬送ローラ９０、９１とは逆の他回転方向及び一回転方向へ回動可能に設けられている。
【０２４６】
さらに紙幣取込繰出部４７は、例えば、収納庫筐体４５の左側板４５Ｂ及び右側板４５Ｃの上端部の内面において上板４５Ｅの前端部の上の所定位置に、一対の第６ローラ用軸受部（図示せず）が対向配置されている。
【０２４７】
また収納庫筐体４５の左側板４５Ｂは、例えば、第６ローラ用軸受部に対応させて第６軸挿通孔部（図示せず）が穿設されている。
【０２４８】
そして第６ローラ回動軸７０は、例えば、収納庫筐体４５の左側板４５Ｂ及び右側板４５Ｃ間の距離よりも長い所定長さに選定されている。
【０２４９】
これにより第６ローラ回動軸７０は、収納庫筐体４５により一対の第６ローラ用軸受部を介して、収納庫左右方向と平行な姿勢で一回転方向及び他回転方向へ回動可能に支持されると共に、一端部を第６軸挿通孔部に通して左側板４５Ｂの左側に突出させている。
【０２５０】
また第６ローラ回動軸７０は、例えば、複数のピックアップローラ９３（図１２には１つのみ図示し、図１３には図示せず）が、収納庫筐体４５の左側板４５Ｂ及び右側板４５Ｃ間に所定の間隔で位置するように、当該複数のピックアップローラ９３各々の中心に穿設された孔部を介して取り付けられて（すなわち、固着されて）いる。
【０２５１】
そして複数のピックアップローラ９３は、それぞれ周側面において下側の所定部分を、当該所定部分に対応させて収納庫筐体４５の上板４５Ｅの前端部に穿設された孔部（図示せず）を介して紙幣収納空間に入り込ませている。
【０２５２】
このようにして紙幣取込繰出部４７には、複数のピックアップローラ９３が、それぞれ紙幣収納空間に下側の所定部分を入り込ませた状態で、第６ローラ回動軸７０と共に一回転方向及び他回転方向へ回動可能に設けられている。
【０２５３】
また図１３及び図１４に示すように、紙幣取込繰出部４７には、外装ケース４０の左側面４０Ｅの上端部の内側と、収納庫筐体４５の左側板４５Ｂの上端部の外面との間隙に、上述したフィードローラ７３、７４や分離ローラ７９、８０等の各種ローラと羽根車８１乃至８３、８４乃至８６とを回転させるためのローラ駆動部９５が設けられている。
【０２５４】
ローラ駆動部９５は、収納庫筐体４５の左側板４５Ｂの左側で第１ローラ回動軸６５の一端部に第１駆動ギア９６が、その中心に穿設された孔部を介して取り付けられて（すなわち、固着されて）いる。
【０２５５】
またローラ駆動部９５は、収納庫筐体４５の左側板４５Ｂの左側で第２ローラ回動軸６６の一端部に第２駆動ギア９７が、その中心に穿設された孔部を介して取り付けられて（すなわち、固着されて）いる。これによりローラ駆動部９５は、第２駆動ギア９７を第１駆動ギア９６に歯合させている。
【０２５６】
またローラ駆動部９５は、収納庫筐体４５の左側板４５Ｂの左側で第４ローラ回動軸６８の一端部に第３駆動ギア９８が、その中心に穿設された孔部を介して取り付けられて（すなわち、固着されて）いる。
【０２５７】
さらにローラ駆動部９５は、例えば、収納庫筐体４５の左側板４５Ｂの外面において第１ローラ回動軸６５の一端部と第４ローラ回動軸６８の一端部との間の所定位置に、第２ギア用軸受部（図示せず）が設けられている。
【０２５８】
さらに第２ギア用軸受部には、第２ギア回動軸９９が、収納庫左右方向と平行な姿勢で、一端部を収納庫筐体４５の左側板４５Ｂの外面よりも左側に突出させるようにして、一回転方向及び他回転方向へ回動可能に支持されている。
【０２５９】
そしてローラ駆動部９５は、収納庫筐体４５の左側板４５Ｂの左側で第２ギア回動軸９９の一端部に第１アイドルギア１００が、その中心に穿設された孔部を介して取り付けられて（すなわち、固着されて）いる。
【０２６０】
これによりローラ駆動部９５は、第１アイドルギア１００を第１駆動ギア９６及び第３駆動ギア９８に歯合させて、当該第１アイドルギア１００を介して第１駆動ギア９６及び第３駆動ギア９８を連結している。
【０２６１】
またローラ駆動部９５は、例えば、収納庫筐体４５の左側板４５Ｂの左側で第１ローラ回動軸６５の一端部に第２駆動プーリ（図示せず）が、当該第２駆動プーリの中心に穿設された孔部を介して取り付けられて（すなわち、固着されて）いる。
【０２６２】
さらにローラ駆動部９５は、例えば、収納庫筐体４５の左側板４５Ｂの左側で第６ローラ回動軸７０の一端部に第３駆動プーリ（図示せず）が、当該第３駆動プーリの中心に穿設された孔部を介して取り付けられて（すなわち、固着されて）いる。
【０２６３】
そしてローラ駆動部９５は、第２駆動プーリから第３駆動プーリに亘り図示しない無端状のベルト（以下、これを第２駆動ベルトとも呼ぶ）がかけられている。
【０２６４】
これに加えてローラ駆動部９５は、当該ローラ駆動部９５の駆動源となる後述するモータ（以下、これをローラ駆動モータとも呼ぶ）が発生させる駆動力を第２ローラ回動軸６６へ伝達するための３本の第３ギア回動軸１０１乃至第５ギア回動軸１０３を有している。
【０２６５】
またローラ駆動部９５は、ローラ駆動モータが発生させる駆動力を第２ローラ回動軸６６へ伝達するための４枚の第２アイドルギア１０４乃至第５アイドルギア１０７を有している。
【０２６６】
ローラ駆動部９５は、例えば、収納庫筐体４５の左側板４５Ｂの外面において第２ローラ回動軸６６よりも下側の所定位置に、第３ギア用軸受部（図示せず）が設けられている。
【０２６７】
また第３ギア用軸受部には、第３ギア回動軸１０１が、収納庫左右方向と平行な姿勢で、一端部を収納庫筐体４５の左側板４５Ｂの外面よりも左側に突出させるようにして、一回転方向及び他回転方向へ回動可能に支持されている。
【０２６８】
そしてローラ駆動部９５は、収納庫筐体４５の左側板４５Ｂの左側で第３ギア回動軸１０１の一端部に第２アイドルギア１０４が、その中心に穿設された孔部を介して取り付けられて（すなわち、固着されて）いる。これによりローラ駆動部９５は、第２アイドルギア１０４を第２駆動ギア９７に歯合させている。
【０２６９】
またローラ駆動部９５は、例えば、収納庫筐体４５の左側板４５Ｂの外面において第３ギア回動軸１０１よりも下側の所定位置に、第４ギア用軸受部（図示せず）が設けられると共に、その第４ギア用軸受部に対応させて孔部（図示せず）が穿設されている。
【０２７０】
第４ギア用軸受部には、第４ギア回動軸１０２が、収納庫左右方向と平行な姿勢で、一端部を収納庫筐体４５の左側板４５Ｂの外面よりも左側に突出させると共に、他端部を当該左側板４５Ｂの内面よりも右側に突出させるようにして、一回転方向及び他回転方向へ回動可能に支持されている。
【０２７１】
そしてローラ駆動部９５は、収納庫筐体４５の左側板４５Ｂの左側で第４ギア回動軸１０２の一端部に第３アイドルギア１０５が、その中心に穿設された孔部を介して取り付けられて（すなわち、固着されて）いる。これによりローラ駆動部９５は、第３アイドルギア１０５を第２アイドルギア１０４に歯合させている。
【０２７２】
またローラ駆動部９５は、収納庫筐体４５の左側板４５Ｂの右側で第４ギア回動軸１０２の他端部に第４アイドルギア１０６が、その中心に穿設された孔部を介して取り付けられて（すなわち、固着されて）いる。
【０２７３】
さらにローラ駆動部９５は、例えば、収納庫筐体４５の左側板４５Ｂの内面において第４ギア回動軸１０２よりも下側の所定位置に、第５ギア用軸受部（図示せず）が設けられている。
【０２７４】
第５ギア用軸受部には、第５ギア回動軸１０３が、収納庫左右方向と平行な姿勢で、一端部を収納庫筐体４５の左側板４５Ｂの内面よりも右側に突出させるようにして、一回転方向及び他回転方向へ回動可能に支持されている。
【０２７５】
そしてローラ駆動部９５は、収納庫筐体４５の左側板４５Ｂの右側で第５ギア回動軸１０３の一端部に第５アイドルギア１０７が、その中心に穿設された孔部を介して取り付けられて（すなわち、固着されて）いる。これによりローラ駆動部９５は、第５アイドルギア１０７を第４アイドルギア１０６に歯合させている。
【０２７６】
係る構成のもと、紙幣取込繰出部４７は、ローラ駆動モータによりローラ駆動部９５において第５アイドルギア１０７が一回転方向へ回転すると、その回転を第４アイドルギア１０６及び第３アイドルギア１０５と、第２アイドルギア１０４とを順次介して第２駆動ギア９７に伝達する。
【０２７７】
これにより紙幣取込繰出部４７は、第２駆動ギア９７と共に第２ローラ回動軸６６を他回転方向へ回転させて、当該第２ローラ回動軸６６に設けられている２個の分離ローラ７９、８０及び６個の羽根車８１乃至８３、８４乃至８６も他回転方向へ回転させる。
【０２７８】
この際、紙幣取込繰出部４７は、第２駆動ギア９７の他回転方向への回転に連動させて第１駆動ギア９６と共に第１ローラ回動軸６５を一回転方向へ回転させて、当該第１ローラ回動軸６５に取り付けられている２個のフィードローラ７３、７４及び２個の補助ローラ７５、７６も一回転方向へ回転させる。
【０２７９】
因みに、紙幣取込繰出部４７は、この際、２個のフィードローラ７３、７４の一回転方向への回転に連動させて２個のプレッシャローラ８７を、当該２個のフィードローラ７３、７４の回転方向とは逆の他回転方向へ回転させる。
【０２８０】
また紙幣取込繰出部４７は、第１駆動ギア９６の一回転方向への回転を、第１アイドルギア１００を介して第３駆動ギア９８に伝達する。
【０２８１】
よって紙幣取込繰出部４７は、第１駆動ギア９６の一回転方向への回転に連動させて第３駆動ギア９８と共に第４ローラ回動軸６８を一回転方向へ回転させて、当該第４ローラ回動軸６８に取り付けられている２個の搬送ローラ９０、９１も一回転方向へ回転させる。
【０２８２】
因みに、紙幣取込繰出部４７は、この際、２個の搬送ローラ９０、９１の一回転方向への回転に連動させて２個のプレッシャローラ９２を、当該２個の搬送ローラ９０、９１の回転方向とは逆の他回転方向へ回転させる。
【０２８３】
なお、紙幣取込繰出部４７は、この際、ローラ駆動部９５において第１ローラ回動軸６５の一回転方向への回転に伴う第２駆動プーリの一回転方向の回転に連動させて第２駆動ベルトと共に第３駆動プーリも一回転方向へ回転させる。
【０２８４】
よって紙幣取込繰出部４７は、第３駆動プーリと共に第６ローラ回動軸７０と、これに取り付けられている複数のピックアップローラ９３も一回転方向へ回転させる。
【０２８５】
このようにして紙幣取込繰出部４７は、フィードローラ７３、７４や分離ローラ７９、８０等の各種ローラと羽根車８１乃至８３、８４乃至８６とを、後述するように紙幣の取込用に回転させることができる。
【０２８６】
これに対し紙幣取込繰出部４７は、ローラ駆動モータによりローラ駆動部９５において第５アイドルギア１０７が他回転方向へ回転すると、その回転を第４アイドルギア１０６及び第３アイドルギア１０５と、第２アイドルギア１０４とを順次介して第２駆動ギア９７に伝達する。
【０２８７】
これにより紙幣取込繰出部４７は、第２駆動ギア９７と共に第２ローラ回動軸６６を一回転方向へ回転させる。
【０２８８】
ただし、紙幣取込繰出部４７は、この際、第２ローラ回動軸６６に設けられている２個の分離ローラ７９、８０及び６個の羽根車８１乃至８３、８４乃至８６を、ワンウェイクラッチの作用により一回転方向へは回転させずに停止させたままにする。
【０２８９】
しかしながら、紙幣取込繰出部４７は、第２駆動ギア９７の一回転方向への回転に連動させて第１駆動ギア９６と共に第１ローラ回動軸６５を他回転方向へ回転させて、当該第１ローラ回動軸６５に取り付けられている２個のフィードローラ７３、７４及び２個の補助ローラ７５、７６も他回転方向へ回転させる。
【０２９０】
因みに、紙幣取込繰出部４７は、この際、２個のフィードローラ７３、７４の他回転方向への回転に連動させて２個のプレッシャローラ８７を、当該２個のフィードローラ７３、７４の回転方向とは逆の一回転方向へ回転させる。
【０２９１】
また紙幣取込繰出部４７は、第１駆動ギア９６の他回転方向への回転を、第１アイドルギア１００を介して第３駆動ギア９８に伝達する。
【０２９２】
よって紙幣取込繰出部４７は、第１駆動ギア９６の他回転方向への回転に連動させて第３駆動ギア９８と共に第４ローラ回動軸６８を他回転方向へ回転させて、当該第４ローラ回動軸６８に取り付けられている２個の搬送ローラ９０、９１も他回転方向へ回転させる。
【０２９３】
因みに、紙幣取込繰出部４７は、この際、２個の搬送ローラ９０、９１の他回転方向への回転に連動させて２個のプレッシャローラ９２を、当該２個の搬送ローラ９０、９１の回転方向とは逆の一回転方向へ回転させる。
【０２９４】
さらに紙幣取込繰出部４７は、この際、ローラ駆動部９５において第１ローラ回動軸６５の他回転方向への回転に伴う第２駆動プーリの他回転方向の回転に連動させて第２駆動ベルトと共に第３駆動プーリも他回転方向へ回転させる。
【０２９５】
これにより紙幣取込繰出部４７は、第３駆動プーリと共に第６ローラ回動軸７０と、これに取り付けられている複数のピックアップローラ９３も他回転方向へ回転させる。
【０２９６】
このようにして紙幣取込繰出部４７は、分離ローラ７９、８０及び羽根車８１乃至８３、８４乃至８６を除くフィードローラ７３、７４等の各種ローラを、後述するように紙幣の繰出用に回転させることができる。
【０２９７】
ところで、紙幣収納庫２０は、上述したように収納庫筐体４５により前側に紙幣収納空間が形成されると共に、その紙幣収納空間に繋がる紙幣取込繰出路が後上端部に形成されている。
【０２９８】
よって紙幣収納庫２０は、収納庫筐体４５を利用して、外装ケース４０内において前上端部から前下端部に亘ってステージ昇降部４６が配置されると共に、前上端部から、当該ステージ昇降部４６よりも後側となる後上端部に亘って紙幣取込繰出部４７が配置されている。
【０２９９】
このため紙幣収納庫２０では、仮に外装ケース４０の背面４０Ｃ全体が平坦に形成されていれば、当該外装ケース４０内においてステージ昇降部４６の後側で、かつ紙幣取込繰出部４７の下側となる中央後端部から下後端部に亘る箇所に、上述したステージ駆動モータ及びローラ駆動モータを共に配置し得るだけのスペースが生じる。
【０３００】
しかしながら、ステージ駆動モータ及びローラ駆動モータは、紙幣収納庫２０には設けられておらず、後述するように紙幣処理ユニット１１の収納庫装着ユニット１８に設けられている。
【０３０１】
すなわち、紙幣収納庫２０では、仮に外装ケース４０の背面４０Ｃ全体が平坦に形成されていれば、当該外装ケース４０内において、複数の紙幣の収納箇所とステージ昇降部４６及び紙幣取込繰出部４７の配置箇所とを除く中央後端部から下後端部に亘る箇所が、何ら配置されるもののない空きスペースになる。
【０３０２】
よって紙幣収納庫２０では、図７について上述したように、外装ケース４０の表面の一部として、当該外装ケース４０内の中央後端部から下後端部に亘る箇所に対応する背面４０Ｃの中央部から下面４０Ｄに亘って溝状の収納庫凹部４０ＣＳが形成されている。
【０３０３】
そして図１５に示すように、紙幣収納庫２０の外装ケース４０は、例えば、収納庫凹部４０ＣＳの左内壁４０ＣＴにおいて上端から紙幣取込繰出部４７の第５アイドルギア１０７の配置位置付近までの部分に、当該収納庫凹部４０ＣＳの幅を僅かに狭めるように張り出す左張出部４０ＣＵが設けられている。
【０３０４】
また外装ケース４０は、例えば、左張出部４０ＣＵの下端面（すなわち、収納庫下方向に向いた面）に、第５アイドルギア１０７に対応する孔部が穿設されている。
【０３０５】
これにより外装ケース４０は、収納庫凹部４０ＣＳの左張出部４０ＣＵ内に第５アイドルギア１０７の上側の所定部分を収納するものの、その第５アイドルギア１０７の下側の所定部分を左張出部４０ＣＵの孔部から収納庫下方向に突出させて露出させている。
【０３０６】
また紙幣収納庫２０の外装ケース４０は、例えば、収納庫凹部４０ＣＳの右内壁４０ＣＶにおいて上端からステージ昇降部４６のギアプーリ６２のギア部６２Ａの配置位置付近までの部分にも、当該収納庫凹部４０ＣＳの幅を僅かに狭めるように張り出す右張出部４０ＣＷが設けられている。
【０３０７】
さらに外装ケース４０は、例えば、右張出部４０ＣＷの下端部に、背面４０Ｃよりも１段低い（すなわち、収納庫凹部４０ＣＳの底面４０ＣＸよりも僅かに高い）段差部４０ＣＹが形成されている。
【０３０８】
そして外装ケース４０は、収納庫凹部４０ＣＳ内の段差部４０ＣＹの段差面（すなわち、収納庫後方向に向いた面）に、ギアプーリ６２のギア部６２Ａに対応する孔部が穿設されている。
【０３０９】
これにより外装ケース４０は、収納庫凹部４０ＣＳの段差部４０ＣＹ内にギアプーリ６２のギア部６２Ａにおいて前側の所定部分を収納するものの、そのギア部６２Ａの後側の所定部分を当該段差部ＣＹの孔部から収納庫後方向に突出させて露出させている。
【０３１０】
このようにして紙幣収納庫２０は、ローラ駆動モータが発生させる駆動力を、第５アイドルギア１０７で受けてローラ駆動部９５を駆動させ得るようにしている。
【０３１１】
また紙幣収納庫２０は、ステージ駆動モータが発生させる駆動力を、ギアプーリ６２のギア部６２Ａで受けてステージ駆動部４９を駆動させ得るようにしている。
【０３１２】
（１−４）収納庫装着ユニットの構成
次いで、収納庫装着ユニット１８の構成について説明する。図１６及び図１７に示すように、収納庫装着ユニット１８は、複数の装着部１８Ｂ各々の幅（すなわち、預払機左右方向の対向する一対の内面間の長さ）が、紙幣収納庫２０乃至２３の幅（すなわち、外装ケース４０の幅）よりも僅かに広い所定長さに選定されている。
【０３１３】
また収納庫装着ユニット１８は、複数の装着部１８Ｂ各々の奥行（すなわち、預払機前後方向の対向する一対の内面間の長さ）が、紙幣収納庫２０乃至２３の奥行（すなわち、外装ケース４０の奥行）よりも僅かに長い所定長さに選定されている。
【０３１４】
さらに収納庫装着ユニット１８は、複数の装着部１８Ｂ各々の深さ（すなわち、預払機上下方向の開口部から底面までの長さ）が、紙幣収納庫２０乃至２３の高さ（すなわち、外装ケースの高さ）よりも僅かに長い所定深さに選定されている。
【０３１５】
すなわち、収納庫装着ユニット１８は、複数の装着部１８Ｂの大きさが、それぞれ紙幣収納庫２０乃至２３をほとんど隙間なく、かつ開口部から突出させずに装着し得るように、当該紙幣収納庫２０乃至２３の外装ケース４０の大きさよりも僅かに大きく選定されている。
【０３１６】
そして収納庫装着ユニット１８の複数の装着部１８Ｂは、それぞれ預払機後方向へ向いている内面１８ＢＸに略箱状のモータ収納ケース１１０が、当該内面１８ＢＸの中央部から下端までを覆って預払機後方向へ突出するように配置されている。
【０３１７】
因みに、収納庫装着ユニット１８の複数の装着部１８Ｂにおいて、それぞれ預払機後方向を向いている内面１８ＢＸは、当該収納庫装着ユニット１８の正面板の裏面や複数の仕切板１８Ａの後面であり、以下、これらをそれぞれ後向内面１８ＢＸとも呼ぶ。
【０３１８】
複数のモータ収納ケース１１０は、その高さ（すなわち、上面１１０Ａから収納庫装着ユニット１８の底面までの長さ）が、紙幣収納庫２０乃至２３の収納庫凹部４０ＣＳの長さ（すなわち、収納庫凹部４０ＣＳの上内壁４０ＣＺから外装ケース４０の下面４０Ｄまでの長さ）よりも僅かに低い所定長さに選定されている。
【０３１９】
また複数のモータ収納ケース１１０は、その幅（すなわち、左側面１１０Ｂから右側面１１０Ｃまでの長さ）が、紙幣収納庫２０乃至２３の収納庫凹部４０ＣＳにおいて最も狭い上端部の幅よりも僅かに狭い所定長さに選定されている。
【０３２０】
さらに複数のモータ収納ケース１１０は、その奥行（すなわち、一面１１０Ｄから後向内面１８ＢＸまでの長さ）が、紙幣収納庫２０乃至２３の収納庫凹部４０ＣＳの深さよりも僅かに短い所定長さに選定されている。
【０３２１】
そして複数のモータ収納ケース１１０は、左側面１１０Ｂの上端部よりも下寄りに左側軸挿通孔部（図示せず）が穿設されると共に、右側面１１０Ｃの上端部に右側軸挿通孔部（図示せず）が穿設されている。
【０３２２】
これにより図１８に示すように、モータ収納ケース１１０は、内部の左上隅部分よりも下寄りにステージ駆動モータ１１１の本体部が収納され、当該ステージ駆動モータ１１１の出力軸を収納庫左右方向と平行な姿勢で左側軸挿通孔部に通して左側面１１０Ｂから突出させている。
【０３２３】
ステージ駆動モータ１１１は、本体部（すなわち、出力軸を除く部分）が、モータ収納ケース１１０に直接固定され、又は後向内面１８ＢＸに所定の固定部を介して固定されている。
【０３２４】
そしてステージ駆動モータ１１１は、モータ収納ケース１１０の左側面１１０Ｂの左側で出力軸にモータギア（以下、これをステージモータギアとも呼ぶ）１１２が、その中心に穿設された孔部を介して取り付けられて（すなわち、固着されて）いる。
【０３２５】
またモータ収納ケース１１０は、内部の右上隅部分にローラ駆動モータ１１３の本体部が収納され、当該ローラ駆動モータ１１３の出力軸を収納庫左右方向と平行な姿勢で右側軸挿通孔部に通して右側面１１０Ｃから突出させている。
【０３２６】
ローラ駆動モータ１１３も、ステージ駆動モータ１１１と同様に、本体部（すなわち、出力軸を除く部分）が、モータ収納ケース１１０に直接固定され、又は後向内面１８ＢＸに所定の固定部を介して固定されている。
【０３２７】
そしてローラ駆動モータ１１３は、モータ収納ケース１１０の右側面１１０Ｃの右側で出力軸にモータギア（以下、これをローラモータギアとも呼ぶ）１１４が、その中心に穿設された孔部を介して取り付けられて（すなわち、固着されて）いる。
【０３２８】
従って図１９に示すように、収納庫装着ユニット１８は、複数の装着部１８Ｂにおけるモータ収納ケース１１０の配置位置に応じて、これら複数の装着部１８Ｂにそれぞれ紙幣収納庫２０乃至２３を、当該紙幣収納庫２０乃至２３の正面（すなわち、外装ケース４０の正面４０Ａ）を預払機後方向に向けた姿勢で着脱させている。
【０３２９】
よって図２０に示すように、収納庫装着ユニット１８は、複数の装着部１８Ｂにそれぞれ紙幣収納庫２０乃至２３が上から差し込まれた場合、当該紙幣収納庫２０乃至２３の収納庫凹部４０ＣＳ内にモータ収納ケース１１０を入り込ませている。
【０３３０】
そして図２０と共に図２１及び図２２に示すように、収納庫装着ユニット１８は、この際、複数の装着部１８Ｂにおいて紙幣収納庫２０乃至２３のギアプーリ６２のギア部６２Ａをステージモータギア１１２で受け止めるようにして、当該ギアプーリ６２のギア部６２Ａにステージモータギア１１２を歯合させる。
【０３３１】
これにより収納庫装着ユニット１８は、複数の装着部１８Ｂ内で、ステージ駆動モータ１１１を紙幣収納庫２０乃至２３のステージ駆動部４９と、ステージモータギア１１２、及びギアプーリ６２のギア部６２Ａを介して連結する。
【０３３２】
また図２０と共に図２３に示すように、収納庫装着ユニット１８は、複数の装着部１８Ｂにおいて紙幣収納庫２０乃至２３の第５アイドルギア１０７をローラモータギア１１４で受け止めるようにして、当該第５アイドルギア１０７にローラモータギア１１４を歯合させる。
【０３３３】
これにより収納庫装着ユニット１８は、複数の装着部１８Ｂ内で、ローラ駆動モータ１１３を紙幣収納庫２０乃至２３のローラ駆動部９５と、ローラモータギア１１４及び第５アイドルギア１０７を介して連結する。
【０３３４】
このようにして収納庫装着ユニット１８は、複数の装着部１８Ｂにそれぞれ紙幣収納庫２０乃至２３が上から差し込まれた場合、ステージ駆動モータ１１１及びローラ駆動モータ１１３を紙幣収納庫２０乃至２３のステージ駆動部４９及びローラ駆動部９５と連結するようにして、これら複数の装着部１８Ｂに紙幣収納庫２０乃至２３を装着している。
【０３３５】
なお、この実施の形態の場合、収納庫装着ユニット１８は、複数の装着部１８Ｂ各々のステージ駆動モータ１１１及びローラ駆動モータ１１３が、図示しないケーブルを介して現金自動預払機１内の電源や制御部１０に電気的に接続されている。
【０３３６】
これにより収納庫装着ユニット１８は、制御部１０の制御のもと、複数の装着部１８Ｂ各々のステージ駆動モータ１１１及びローラ駆動モータ１１３を動作させることができる。
【０３３７】
また複数の紙幣収納庫２０乃至２３には、例えば、ステージ４８の昇降位置の制御に用いられる位置センサや送出センサ等のように種々のセンサが設けられている。
【０３３８】
ただし、複数の紙幣収納庫２０乃至２３には、これら種々のセンサを動作させるための電源や制御するための制御系は搭載されていない。
【０３３９】
このため複数の紙幣収納庫２０乃至２３（図７、図１５、図１９）は、それぞれ収納庫凹部４０ＣＳの上内壁４０ＣＺの所定位置にコネクタ（以下、これを収納庫側コネクタとも呼ぶ）１２０が配置されている。
【０３４０】
そして複数の紙幣収納庫２０乃至２３は、それぞれ収納庫側コネクタ１２０が、当該紙幣収納庫２０乃至２３内の種々のセンサに電気的に接続されている。
【０３４１】
また収納庫装着ユニット１８は、複数の装着部１８Ｂにおいて、それぞれモータ収納ケース１１０の上面１１０Ａに、収納庫側コネクタ１２０に対応するコネクタ（以下、これを装着部側コネクタとも呼ぶ）１２１が配置されている。
【０３４２】
そして収納庫装着ユニット１８は、複数の装着部１８Ｂの装着部側コネクタ１２１が、それぞれ上述のケーブルを介して現金自動預払機１内の電源や制御部１０に電気的に接続されている。
【０３４３】
これにより収納庫装着ユニット１８は、複数の装着部１８Ｂにそれぞれ紙幣収納庫２０乃至２３が装着された場合、装着部側コネクタ１２１を収納庫側コネクタ１２０に機械的及び電気的に接続して、これら複数の紙幣収納庫２０乃至２３の種々のセンサを動作可能にしている。
【０３４４】
ところで、収納庫装着ユニット１８は、複数の装着部１８Ｂにおいて、それぞれモータ収納ケース１１０の上面１１０Ａに、これら複数の装着部１８Ｂに対する紙幣収納庫２０乃至２３の装着位置を位置決めするための例えば、２本の円柱状の位置決めピン（図示せず）が上側に突出するように植設されている。
【０３４５】
複数の位置決めピンは、それぞれ装着部側コネクタ１２１のコネクタ接続面（すなわち、装着部側コネクタ１２１において収納庫側コネクタ１２０と接続される部分の端面）よりもさらに上側に突出するような長さを有している。
【０３４６】
また複数の位置決めピンは、それぞれ先端部（すなわち、上側の端部）が、先端にかけて徐々に径を細くするようにテーパ状に形成されている。
【０３４７】
さらに複数の紙幣収納庫２０乃至２３は、それぞれ収納庫凹部４０ＣＳの上内壁４０ＣＺに、収納庫装着ユニット１８の２本の位置決めピンに対応する２個の位置決め孔部（図示せず）が穿設されている。
【０３４８】
これにより収納庫装着ユニット１８は、複数の装着部１８Ｂに紙幣収納庫２０乃至２３が上から差し込まれたとき、複数の位置決めピンを、対応する位置決め孔部に差し込むようにして当該紙幣収納庫２０乃至２３の装着位置を位置決めして装着部側コネクタ１２１と収納庫側コネクタ１２０とを位置合わせしたうえで、これらを接続することができる。
【０３４９】
すなわち、収納庫装着ユニット１８は、複数の装着部１８Ｂに対する紙幣収納庫２０乃至２３の装着時、当該紙幣収納庫２０乃至２３の装着位置を位置決めすることで、装着部側コネクタ１２１を収納庫側コネクタ１２０に的確に接続することができる。
【０３５０】
また収納庫装着ユニット１８は、このように複数の装着部１８Ｂに対する紙幣収納庫２０乃至２３の装着時、当該紙幣収納庫２０乃至２３の装着位置を位置決めすることで、ステージモータギア１１２をギアプーリ６２のギア部６２Ａに的確に歯合させると共に、ローラモータギア１１４を第５アイドルギア１０７に的確に歯合させることができる。
【０３５１】
よって収納庫装着ユニット１８は、複数の装着部１８Ｂに対する紙幣収納庫２０乃至２３の装着時、ステージ駆動モータ１１１及びローラ駆動モータ１１３を紙幣収納庫２０乃至２３のステージ駆動部４９及びローラ駆動部９５と確実に連結することができる。
【０３５２】
このようにして収納庫装着ユニット１８は、複数の装着部１８Ｂに複数の紙幣収納庫２０乃至２３を的確に装着することができる。
【０３５３】
そして収納庫装着ユニット１８は、底面よりも極力上側の位置で、複数の装着部１８Ｂに対して複数の紙幣収納庫２０乃至２３を位置決めすることで、これら複数の装着部１８Ｂに複数の紙幣収納庫２０乃至２３が僅かに傾いた姿勢や左右へ回転した姿勢で装着されることをほぼ確実に防止することができる。
【０３５４】
従って収納庫装着ユニット１８は、複数の装着部１８Ｂに複数の紙幣収納庫２０乃至２３が装着された状態で紙幣処理ユニット１１に収納された場合、これら複数の紙幣収納庫２０乃至２３を紙幣振分搬送路２７Ａに対しても容易にかつ的確に位置合わせすることができる。
【０３５５】
（１−５）紙幣収納庫による紙幣の取込収納処理及び繰出処理
次いで、紙幣収納庫２０乃至２３が収納庫装着ユニット１８の複数の装着部１８Ｂに装着された状態で、制御部１０が上述の紙幣の入金処理や出金処理において紙幣収納庫２０乃至２３で実際に行う紙幣の取込収納処理及び繰出処理について説明する。
【０３５６】
図２４に示すように、制御部１０は、入金処理における紙幣収納庫２０乃至２３の紙幣の取込収納処理時、収納庫装着ユニット１８のステージ駆動モータ１１１を動作させることで、紙幣収納庫２０乃至２３においてステージ駆動部４９を駆動してステージ４８を上昇又は下降させる。
【０３５７】
この際、制御部１０は、例えば、所定の位置センサを介して、ステージ４８の一面４８Ａ上の１又は複数の紙幣１３０のうち最も上に位置する１枚の紙幣１３０が紙幣取込位置に到達したことを検出すると、その時点でステージ駆動モータ１１１の動作を停止させて、当該ステージ４８の上昇又は下降を停止させる。
【０３５８】
因みに、以下の説明では、ステージ４８の一面４８Ａの載っている１又は複数の紙幣１３０のうち最も上に位置する１枚の紙幣１３０を、特に最上位紙幣１３０とも呼ぶ。
【０３５９】
これにより制御部１０は、紙幣収納庫２０乃至２３において、複数のピックアップローラ９３と、ステージ４８の一面４８Ａ上の最上位紙幣１３０との間に、紙幣１３０の取り込みに最適な、当該紙幣１３０の所定枚数分の厚みに相当する高さの紙幣取込空間を形成する。
【０３６０】
この状態で制御部１０は、収納庫装着ユニット１８のローラ駆動モータ１１３を動作させることで、紙幣収納庫２０乃至２３においてローラ駆動部９５を駆動してフィードローラ７３、７４及び補助ローラ７５、７６を一回転方向へ回転させると共に、その回転に連動させてプレッシャローラ８７を他回転方向へ回転させる。
【０３６１】
また制御部１０は、この際、ローラ駆動部９５を駆動して分離ローラ７９、８０、羽根車８１乃至８３、８４乃至８６を他回転方向へ回転させる。
【０３６２】
さらに制御部１０は、ローラ駆動部９５を駆動して搬送ローラ９０、９１を一回転方向へ回転させると共に、その回転に連動させてプレッシャローラ９２を他回転方向へ回転させる。
【０３６３】
そして制御部１０は、紙幣振分搬送路２７Ａを介して紙幣１３０を１枚ずつ紙幣収納庫２０乃至２３へ搬送する。
【０３６４】
これにより制御部１０は、その紙幣１３０を、紙幣収納庫２０乃至２３において紙幣取込繰出口４０ＢＸから収納庫筐体４５の紙幣取込繰出路内に入り込ませて、互いに逆回転している搬送ローラ９０、９１とプレッシャローラ９２との間に挟み込みながらフィードローラ７３、７４側へ送り出す。
【０３６５】
また制御部１０は、搬送ローラ９０、９１及びプレッシャローラ９２の間を通った紙幣１３０を、引き続きフィードローラ７３、７４とプレッシャローラ８７との間に挟み込みながら分離ローラ７９、８０側へ送り出す。
【０３６６】
さらに制御部１０は、フィードローラ７３、７４及びプレッシャローラ８７の間を通った紙幣１３０を、引き続き当該フィードローラ７３、７４及び補助ローラ７５、７６と分離ローラ７９、８０及び羽根車８１乃至８３、８４乃至８６との間を通して、当該紙幣１３０の一面を下側に向けた姿勢で紙幣取込空間へ送り出す。
【０３６７】
そして制御部１０は、この際、紙幣取込繰出路から紙幣収納空間に送り出した紙幣１３０を羽根車８１乃至８３、８４乃至８６の羽根で上からたたくようにして落下させて、ステージ４８の一面４８Ａ上の最上位紙幣１３０に重ねるように載せる。
【０３６８】
このようにして制御部１０は、紙幣振分搬送路２７Ａを介して紙幣１３０を紙幣収納庫２０乃至２３へ搬送する毎に、当該紙幣収納庫２０乃至２３において同様に、その紙幣１３０を収納庫筐体４５内に取り込んでステージ４８の一面４８Ａに順に重ねるようにして収納することができる。
【０３６９】
ところで、制御部１０は、紙幣収納庫２０乃至２３においてステージ４８の一面４８Ａ上に新たに１枚の紙幣１３０を載せる毎に、収納庫装着ユニット１８のステージ駆動モータ１１１を間欠的に動作させて、当該紙幣収納庫２０乃至２３においてステージ駆動部４９を駆動することで、ステージ４８を僅かに下降させる。
【０３７０】
これにより制御部１０は、紙幣収納庫２０乃至２３においてステージ４８の一面４８Ａ上に新たに載せた紙幣１３０（すなわち、新たな最上位紙幣１３０）を紙幣取込位置に位置させる。
【０３７１】
このようにして制御部１０は、紙幣収納庫２０乃至２３の収納庫筐体４５内に複数の紙幣１３０を常に同一の取込条件で取り込ませる。
【０３７２】
従って制御部１０は、紙幣収納庫２０乃至２３の収納庫筐体４５内に複数の紙幣１３０を順次、紙幣取込繰出路内や、複数のピックアップローラ９３と最上位紙幣１３０との間等で詰まらせることなく取り込んでステージ４８の一面４８Ａに順に積層するようにして収納することができる。
【０３７３】
一方、図２５に示すように、制御部１０は、入金処理における紙幣収納庫２０乃至２３の紙幣の繰出処理時、収納庫装着ユニット１８のステージ駆動モータ１１１を動作させることで、紙幣収納庫２０乃至２３においてステージ駆動部４９を駆動してステージ４８を上昇させる。
【０３７４】
そして制御部１０は、この際、例えば位置センサを介して最上位紙幣１３０が紙幣取込位置に到達したことを検出すると、その時点からさらに一定時間、ステージ駆動モータ１１１をさらに動作させてステージ４８の上昇させた後、当該ステージ駆動モータ１１１の動作を停止させて、ステージ４８の上昇も停止させる。
【０３７５】
これにより制御部１０は、ステージ４８の一面４８Ａ上の最上位紙幣１３０（すなわち、最上位紙幣１３０の一面）を、複数のピックアップローラ９３の周側面の下側の部分に所定の押圧力で押し付ける。
【０３７６】
この状態で制御部１０は、収納庫装着ユニット１８のローラ駆動モータ１１３を動作させることで、紙幣収納庫２０乃至２３においてローラ駆動部９５を駆動してフィードローラ７３、７４及び補助ローラ７５、７６を他回転方向へ回転させると共に、その回転に連動させてプレッシャローラ８７を一回転方向へ回転させる。
【０３７７】
ただし、制御部１０は、この際、ローラ駆動部９５を駆動するものの、分離ローラ７９、８０、羽根車８１乃至８３、８４乃至８６をワンウェイクラッチの作用により回転を停止させたままにする。
【０３７８】
また制御部１０は、ローラ駆動部９５を駆動して搬送ローラ９０、９１を他回転方向へ回転させると共に、その回転に連動させてプレッシャローラ９２を一回転方向へ回転させる。
【０３７９】
さらに制御部１０は、フィードローラ７３、７４及び補助ローラ７５、７６の他回転方向への回転に連動させて、最上位紙幣１３０が押し付けられている複数のピックアップローラ９３も他回転方向へ回転させる。
【０３８０】
これにより制御部１０は、紙幣収納庫２０乃至２３において複数のピックアップローラ９３により、ステージ４８の一面４８Ａ上に最上位紙幣１３０を紙幣取込繰出路側へずらすようにして送り出す。
【０３８１】
また制御部１０は、紙幣取込繰出路側へ送り出した紙幣１３０を、フィードローラ７３、７４及び補助ローラ７５、７６と分離ローラ７９、８０との間に通した後、互いに逆回転している当該フィードローラ７３、７４と複数のプレッシャローラ８７との間に挟み込みながら搬送ローラ９０、９１側へ送り出す。
【０３８２】
そして制御部１０は、フィードローラ７３、７４及びプレッシャローラ８７の間を通った紙幣１３０を、引き続き搬送ローラ９０、９１とプレッシャローラ９２との間に挟み込みながら紙幣取込繰出口４０ＢＸ側へ送り出す。
【０３８３】
このようにして制御部１０は、紙幣収納庫２０乃至２３から、これに収納している紙幣１３０を、紙幣取込繰出口４０ＢＸを介して紙幣振分搬送路２７Ａへ繰り出すことができる。
【０３８４】
因みに、制御部１０は、この際、分離ローラ７９、８０の回転を停止させていることで、複数のピックアップローラ９３によりステージ４８の一面４８Ａから仮に２枚の紙幣１３０が上下に重なったまま紙幣取込繰出路側へ送り出されても、その回転を停止させている分離ローラ７９、８０によって下側の紙幣１３０の送り出しを一旦止めて上側の紙幣１３０のみをフィードローラ７３、７４と複数のプレッシャローラ８７との間に送り出すことができる。
【０３８５】
すなわち、制御部１０は、紙幣収納庫２０乃至２３において複数のピックアップローラ９３によりステージ４８の一面４８Ａから仮に２枚の紙幣１３０が上下に重なったまま繰出側へ送り出されても、これら２枚の紙幣１３０をフィードローラ７３、７４及び分離ローラ７９、８０の間で分離して１枚ずつ送り出すことができる。
【０３８６】
また制御部１０は、この際、所定の送出センサにより、ステージ４８の一面４８Ａから最上位紙幣１３０が紙幣取込繰出路側へ送り出されたか否かを検出している。
【０３８７】
そして制御部１０は、ステージ４８の一面４８Ａ上から最上位紙幣１３０が紙幣取込繰出路側へ送り出されたことを検出する毎に、収納庫装着ユニット１８のステージ駆動モータ１１１を間欠的に動作させて、紙幣収納庫２０乃至２３においてステージ駆動部４９を駆動することで、ステージ４８を僅かに上昇させる。
【０３８８】
すなわち、制御部１０は、ステージ４８の一面４８Ａ上から最上位紙幣１３０がフィードローラ７３、７４及び補助ローラ７５、７６と分離ローラ７９、８０との間へ送り出される毎に、ステージ４８により新たな最上位紙幣１３０を複数のピックアップローラ９３の周側面の下側の部分に所定の押圧力で押し付ける。
【０３８９】
よって制御部１０は、紙幣収納庫２０乃至２３において複数のピックアップローラ９３により常に同一の送出条件で、ステージ４８の一面４８Ａ上の複数の紙幣１３０を１枚ずつ紙幣取込繰出路側へ送り出させている。
【０３９０】
これにより制御部１０は、紙幣収納庫２０乃至２３から、これに収納している紙幣１３０を１枚ずつ的確に紙幣取込繰出口４０ＢＸを介して紙幣振分搬送路２７Ａへ繰り出すことができる。
【０３９１】
（１−６）実施の形態の動作及び効果
以上の構成において、現金自動預払機１では、収納庫装着ユニット１８の複数の装着部１８Ｂに着脱可能に装着される紙幣収納庫２０乃至２３に、複数の紙幣１３０を順に重ねるようにして収納するためのステージ昇降部４６と、その紙幣１３０を外部から取り込み、また外部へ繰り出すための紙幣取込繰出部４７とを設けるようにした。
【０３９２】
ただし、現金自動預払機１では、複数の紙幣収納庫２０乃至２３に、ステージ昇降部４６に設けられたステージ駆動部４９、及び紙幣取込繰出部４７に設けられたローラ駆動部９５を駆動するためのステージ駆動モータ１１１及びローラ駆動モータ１１３を設けずに、これによって生じる空きスペースを利用して、背面４０Ｃの中央部から下面４０Ｄに亘り溝状の収納庫凹部４０ＣＳを形成するようにした。
【０３９３】
また現金自動預払機１では、収納庫装着ユニット１８の複数の装着部１８Ｂにそれぞれステージ駆動モータ１１１及びローラ駆動モータ１１３を、紙幣収納庫２０乃至２３が装着された場合に収納庫凹部４０ＣＳ内に位置するように設けるようにした。
【０３９４】
そして現金自動預払機１は、収納庫装着ユニット１８の複数の装着部１８Ｂに紙幣収納庫２０乃至２３が装着されると、装着部１８Ｂ毎に、ステージ駆動モータ１１１及びローラ駆動モータ１１３を当該装着部１８Ｂに装着された紙幣収納庫２０乃至２３のステージ駆動部４９及びローラ駆動部９５と連結するようにした。
【０３９５】
従って現金自動預払機１は、複数の紙幣収納庫２０乃至２３を、ステージ駆動モータ１１１及びローラ駆動モータ１１３を除いて構成して軽量化することができる。
【０３９６】
また現金自動預払機１は、複数の紙幣収納庫２０乃至２３の代わりに、収納庫装着ユニット１８の複数の装着部１８Ｂにそれぞれステージ駆動モータ１１１及びローラ駆動モータ１１３を設けても、当該装着部１８Ｂと共に収納庫装着ユニット１８が大型化することを防止することができる。
【０３９７】
以上の構成によれば、現金自動預払機１は、収納庫装着ユニット１８の複数の装着部１８Ｂに着脱可能に装着される複数の紙幣収納庫２０乃至２３に、それぞれステージ駆動部４９及びローラ駆動部９５を設けるものの、当該ステージ駆動部４９及びローラ駆動部９５を駆動するためのステージ駆動モータ１１１及びローラ駆動モータ１１３を設けずに、これによって生じる空きスペースを利用して収納庫凹部４０ＣＳを形成すると共に、収納庫装着ユニット１８の複数の装着部１８Ｂにそれぞれステージ駆動モータ１１１及びローラ駆動モータ１１３を、紙幣収納庫２０乃至２３が装着された場合に収納庫凹部４０ＣＳ内に位置するように設けるようにした。
【０３９８】
これにより現金自動預払機１は、複数の紙幣収納庫２０乃至２３を、ステージ駆動モータ１１１及びローラ駆動モータ１１３を除いて軽量化しつつ、収納庫装着ユニット１８の複数の装着部１８Ｂにそれぞれステージ駆動モータ１１１及びローラ駆動モータ１１３を設けても、当該装着部１８Ｂと共に収納庫装着ユニット１８が大型化することを防止することができる。
【０３９９】
よって現金自動預払機１は、当該現金自動預払機１を大型化せずに複数の紙幣収納庫２０乃至２３を軽量化することができる。
【０４００】
また現金自動預払機１は、収納庫装着ユニット１８の複数の装着部１８Ｂにそれぞれステージ駆動モータ１１１及びローラ駆動モータ１１３を収納するモータ収納ケース１１０を設けるようにした。
【０４０１】
従って現金自動預払機１は、収納庫装着ユニット１８の複数の装着部１８Ｂにそれぞれ紙幣収納庫２０乃至２３が装着される際（すなわち、上から差し込まれる際）、収納庫凹部４０ＣＳとモータ収納ケース１１０とより紙幣収納庫２０乃至２３の装着姿勢を容易に認識させることができる。
【０４０２】
これに加えて現金自動預払機１は、仮に収納庫装着ユニット１８の複数の装着部１８Ｂに紙幣収納庫２０乃至２３が誤って正面４０Ａを預払機前方向へ向けて差し込まれるような場合でも、モータ収納ケース１１０によりステージ駆動モータ１１１及びローラ駆動モータ１１３と共に、ステージモータギア１１２及びローラモータギア１１４等を破損しないように保護することもできる。
【０４０３】
さらに現金自動預払機１は、収納庫装着ユニット１８の複数の装着部１８Ｂの大きさを、それぞれ紙幣収納庫２０乃至２３をほとんど隙間なく、かつ開口部から突出させずに装着し得るように当該紙幣収納庫２０乃至２３の大きさよりも、ほんの僅か大きくするようにした。
【０４０４】
従って現金自動預払機１は、収納庫装着ユニット１８の複数の装着部１８Ｂにそれぞれ紙幣収納庫２０乃至２３が正規の装着姿勢で装着される際（すなわち、上から差し込まれる際）、当該紙幣収納庫２０乃至２３の下面４０Ｄがステージモータギア１１２やローラモータギア１１４等に衝突して、当該ステージモータギア１１２やローラモータギア１１４、またステージ駆動モータ１１１やローラ駆動モータ１１３の出力軸等が破損することをほぼ確実に防止することができる。
【０４０５】
さらに現金自動預払機１は、複数の紙幣収納庫２０乃至２３の外装ケース４０において背面４０Ｃの中央部から下面４０Ｄに亘り溝状の収納庫凹部４０ＣＳを形成するようにして、当該下面４０Ｄを、その前端部、左後端部及び右後端部が上面４０Ｂの前端部、左後端部及び右後端部の真下に位置するようなコ字状に形成するようにした。
【０４０６】
従って現金自動預払機１は、紙幣収納庫２０乃至２３が、収納庫装着ユニット１８の装着部１８Ｂから取り出されて床に下面４０Ｄを当接させて立てるようにして置かれた場合に、当該紙幣収納庫２０乃至２３が倒れることを防止することができる。
【０４０７】
すなわち、現金自動預払機１は、複数の紙幣収納庫２０乃至２３に背面４０Ｃから下面４０Ｄに亘って収納庫凹部４０ＣＳを形成していても、これら複数の紙幣収納庫２０乃至２３が、収納庫装着ユニット１８の装着部１８Ｂから取り出された場合に取り扱い難くなることを防止することができ、むしろステージ駆動モータ１１１及びローラ駆動モータ１１３を除いて軽少化していることで、取り扱い易くすることができる。
【０４０８】
ところで、現金自動預払機１では、例えば、複数の紙幣収納庫２０乃至２３が外部で床等に立てるようにして置かれると、下面４０Ｄに埃が付着して、そのまま収納庫装着ユニット１８の装着部１８Ｂに装着される可能性がある。
【０４０９】
また現金自動預払機１では、収納庫装着ユニット１８の装着部１８Ｂに紙幣収納庫２０乃至２３が装着された際に、当該装着部１８Ｂ内で紙幣収納庫２０乃至２３の下面４０Ｄから埃が落ちると、装着部１８Ｂの底に溜まることになる。
【０４１０】
このため、現金自動預払機１は、複数の紙幣収納庫２０乃至２３において収納庫凹部４０ＣＳの上内壁４０ＣＺに収納庫側コネクタ１２０を配置すると共に、これに対応させて収納庫装着ユニット１８の底面よりも上側に位置する複数のモータ収納ケース１１０の上面１１０Ａに装着部側コネクタ１２１を配置するようにした。
【０４１１】
従って現金自動預払機１では、例えば、複数の紙幣収納庫２０乃至２３が外部で床等に立てるようにして置かれた場合に、埃が収納庫側コネクタ１２０に付着して、装着部側コネクタ１２１との接続不良の原因となるようなことを極力回避することができる。
【０４１２】
また現金自動預払機１は、収納庫装着ユニット１８の装着部１８Ｂに紙幣収納庫２０乃至２３が装着された際に、当該装着部１８Ｂ内で紙幣収納庫２０乃至２３の下面４０Ｄから埃が落ちたとしても、その埃が装着部側コネクタ１２１に付着して収納庫側コネクタ１２０との接触不良の原因となるようなことも極力回避することができる。
【０４１３】
（２）他の実施の形態
（２−１）他の実施の形態１
なお上述した実施の形態においては、複数の紙幣収納庫２０乃至２３に溝状の収納庫凹部４０ＣＳを形成するようにした場合について述べた。
【０４１４】
しかしながら本発明は、これに限らず、例えば、図２６に示すように、紙幣収納庫１４０において外装ケース１４１の背面１４１Ａの下側全体に切欠状の収納庫凹部１４１ＡＸを形成するようにしても良い。
【０４１５】
また本発明は、例えば、収納庫装着ユニット１８の装着部１８Ｂにおけるステージ駆動モータ１１１及びローラ駆動モータ１１３の配置位置に応じて、紙幣収納庫において外装ケースの背面に中央部から下面に亘る２本の溝状の収納庫凹部を形成するようにしても良い。
【０４１６】
そして本発明は、紙幣収納庫に、係る構成の収納庫凹部を形成した場合、当該収納庫凹部の構成に応じて例えば、収納庫装着ユニット１８の複数の装着部１８Ｂに、ステージ駆動モータ１１１及びローラ駆動モータ１１３を個別に収納する２個のモータ収納ケースを設けるようにしても良い。
【０４１７】
さらに本発明は、例えば、紙幣収納庫の外装ケースの背面において上端部から左下端部までの略Ｌ字状の部分を除いて切欠状の収納庫凹部を形成するようにしても良い。
【０４１８】
そして本発明は、紙幣収納庫に、係る構成の収納庫凹部を形成した場合、当該収納庫凹部の構成に応じて例えば、収納庫装着ユニットを右側板を除いて形成し、装着部の右横から紙幣収納庫を、当該紙幣収納庫の右側面を左方向に向けた装着姿勢で装着部に押し込むようにして装着させるようにしても良い。
【０４１９】
さらに本発明は、例えば、紙幣収納庫の外装ケースの背面において上端部から右下端部までの略逆Ｌ字状の部分を除いて切欠状の収納庫凹部を形成するようにしても良い。
【０４２０】
そして本発明は、紙幣収納庫に、係る構成の収納庫凹部を形成した場合、当該収納庫凹部の構成に応じて例えば、収納庫装着ユニットを左側板を除いて形成し、装着部の左横から紙幣収納庫を、当該紙幣収納庫の左側面を右方向に向けた装着姿勢で装着部に押し込むようにして装着させるようにしても良い。
【０４２１】
本発明は、紙幣収納庫の外装ケースに、このような種々の切欠状の収納庫凹部を形成した場合、その切欠状の収納庫凹部を、上述した実施の形態による紙幣収納庫２０乃至２３の収納庫凹部４０ＣＳよりも大きくすることができる。
【０４２２】
よって本発明は、紙幣収納庫の外装ケースに切欠状の収納庫凹部を形成した場合、当該紙幣収納庫を、上述した実施の形態による紙幣収納庫２０乃至２３に比して小型化して、全体をさらに重量化することができる。
【０４２３】
これに加えて本発明は、例えば、紙幣収納庫の外装ケースにおいて背面全体は残しつつ、下面の後端中央部に所定深さの穴状の収納庫凹部を形成するようにしても良い。
【０４２４】
そして本発明は、紙幣収納庫に、係る構成の収納庫凹部を形成した場合、当該収納庫凹部の構成に応じて例えば、収納庫装着ユニット１８の複数の装着部１８Ｂにそれぞれ略箱型のモータ収納ケースを後向内面１８ＢＸから僅かに離して設けるようにして、紙幣収納庫の装着時、収納庫凹部にモータ収納ケースを差し込むようにしても良い。
【０４２５】
（２−２）他の実施の形態２
また上述した実施の形態においては、紙幣処理ユニット１１に複数の紙幣収納庫２０乃至２３を着脱可能に装着する複数の装着部１８Ｂを有する収納庫装着ユニット１８を設けるようにした場合について述べた。
【０４２６】
しかしながら本発明は、これに限らず、図２との対応部分に同一符号を付した図２７に示すように、紙幣処理ユニット１４５の後端部に、例えば、複数の紙幣収納庫に対する紙幣の補充及び回収に用いられる紙幣収納庫１４６を預払機前後方向に移動させて後側から押し込み、また後側に引き出すようにして着脱可能に装着するための装着部１４７を設けるようにしても良い。
【０４２７】
この場合、本発明は、例えば、紙幣収納庫１４６を、ステージ昇降部及び紙幣取込繰出部のうち当該ステージ昇降部のみを有するように構成する。
【０４２８】
また本発明は、装着部１４７の上面に開口部を形成し、当該装着部１４７の上に、その開口部を閉塞するように、ステージ昇降部及び紙幣取込繰出部のうち当該紙幣取込繰出部のみを有し、紙幣収納庫１４６に対する紙幣の取込及び繰出を行う補充入出金部１４８を配置する。
【０４２９】
そして本発明は、紙幣収納庫１４６において装着部１４７への装着時に預払機前方向を向く面１４６Ａの例えば、中央部に所定深さの穴状の収納庫凹部１４６ＡＸを形成する。
【０４３０】
また本発明は、装着部１４７において預払機後方向を向く内面に、収納庫凹部１４６ＡＸに対応させて略箱型のモータ収納ケース１４９を配置すると共に、当該モータ収納ケース１４９内にステージ駆動モータ（図示せず）を収納する。
【０４３１】
これにより本発明は、装着部１４７に紙幣収納庫１４６が装着された際、ステージ昇降部のステージ駆動部を、当該装着部１４７内のステージ駆動モータに連結する。
【０４３２】
本発明は、このように紙幣処理ユニット１４５に、入出金用の紙幣を収納する紙幣収納庫２０乃至２３とは内部構成と共に装着部１４７に対する着脱方向の異なる紙幣収納庫１４６を着脱可能に設けるような場合でも、当該紙幣収納庫１４６をステージ駆動モータを除いて軽量化しつつ、当該紙幣処理ユニット１４５がステージ駆動モータを設けても大型化することを防止することができる。
【０４３３】
（２−３）他の実施の形態３
さらに上述した実施の形態においては、収納庫装着ユニット１８の複数の装着部１８Ｂにそれぞれモータ収納ケース１１０を設けるようにした場合について述べた。
【０４３４】
しかしながら本発明は、これに限らず、収納庫装着ユニット１８の複数の装着部１８Ｂにおいて、それぞれモータ収納ケース１１０は設けずに、後向内面１８ＢＸにステージ駆動モータ１１１及びローラ駆動モータ１１３を直接取り付けるようにしても良い。
【０４３５】
これに加えて本発明は、収納庫装着ユニット１８の複数の装着部１８Ｂの後向内面１８ＢＸにおいて、それぞれステージ駆動モータ１１１及びローラ駆動モータ１１３の上側に、装着部側コネクタ１２１を配置するためのコネクタ配置板を植設するようにしても良い。
【０４３６】
本発明は、係る構成によれば、収納庫装着ユニット１８の複数の装着部１８Ｂに対する紙幣収納庫２０乃至２３の装着時、コネクタ配置板によりステージ駆動モータ１１１及びローラ駆動モータ１１３と共に、ステージモータギア１１２及びローラモータギア１１４等を破損しないように保護することができる。
【０４３７】
また本発明は、係る構成によれば、収納庫装着ユニット１８を、複数のモータ収納ケース１１０を設けない分、軽量化することができ、紙幣処理ユニット１１に対する収納庫装着ユニット１８の引出及び収納時の作業者の負担を軽減することができる。
【０４３８】
（２−４）他の実施の形態４
さらに上述した実施の形態においては、収納庫装着ユニット１８の複数の装着部１８Ｂにおいて、それぞれモータ収納ケース１１０の上面１１０Ａに装着部側コネクタ１２１を配置するようにした場合について述べた。
【０４３９】
しかしながら本発明は、これに限らず、収納庫装着ユニット１８の複数の装着部１８Ｂにおいて、それぞれモータ収納ケース１１０の上面１１０Ａに、装着部側コネクタ１２１のコネクタ接続面に対応する孔部を穿設する。
【０４４０】
そして本発明は、収納庫装着ユニット１８の複数の装着部１８Ｂにおいて、それぞれ装着部側コネクタ１２１をモータ収納ケース１１０に収納して、当該装着部側コネクタ１２１のコネクタ接続面を、モータ収納ケース１１０の上面１１０Ａから突出させずに孔部を介して露出させるようにしても良い。
【０４４１】
本発明は、係る構成によれば、収納庫装着ユニット１８の複数の装着部１８Ｂに紙幣収納庫２０乃至２３が誤って正面４０Ａを預払機前方向へ向けて差し込まれるような場合でも、装着部側コネクタ１２１を破損しないように保護することができる。
【０４４２】
（２−５）他の実施の形態５
さらに上述した実施の形態においては、本発明による紙葉類取扱装置を、図１乃至図２７について上述した現金自動預払機１に適用するようにした場合について述べた。
【０４４３】
しかしながら本発明は、これに限らず、現金自動支払機（CD：Cash  Dispenser）や有価証券取扱機、両替機、電車の切符や観劇のチケット等を販売する券売機、精算機、自動販売機、パチンコ台やスロット台のような遊戯機、コピー機、葉書搬送装置等のように、この他種々の構成の紙葉類取扱装置に広く適用することができる。
【０４４４】
（２−６）他の実施の形態６
さらに上述した実施の形態においては、本発明による紙葉類収納庫を、図１乃至図２７について上述した紙幣収納庫２０乃至２３、１４０、１４７に適用するようにした場合について述べた。
【０４４５】
しかしながら本発明は、これに限らず、現金自動支払機や両替機、券売機、精算機、自動販売機、遊戯機に着脱可能に装着され、紙幣（入出金用の紙幣やリジェクト紙幣、取忘紙幣）を収納する紙幣収納庫、有価証券取扱機に着脱可能に装着され、有価証券を収納する有価証券収納庫に適用することができる。
【０４４６】
また本発明は、これに限らず、券売機や精算機に着脱可能に装着され、切符やチケットを収納する切符収納庫やチケット収納庫、コピー機に着脱可能に装着され、コピー用紙を収納するコピー用紙収納庫、葉書搬送装置に着脱可能に装着され、葉書を収納する葉書収納庫に適用することもできる。
【０４４７】
本発明は、より具体的には、リジェクト紙幣のような紙葉類を取り込むための複数のローラ及びローラ駆動部を有する取込部は設けるものの、その紙葉類を繰り出すための繰出部を設けない、リジェクト庫のような紙葉類収納庫に適用することができる。
【０４４８】
また本発明は、使用済の切符やチケットのような紙葉類を取り込むための複数のローラ及びローラ駆動部を有する取込部は設けるものの、ステージ昇降部と、その紙葉類を繰り出すための繰出部とを設けいない使用済切符収納庫や使用済チケット収納庫のような紙葉類収納庫に適用することもできる。
【０４４９】
さらに本発明は、水平方向に移動させるようにして装着部に着脱可能に装着され、内部に複数の紙幣のような紙葉類を立てた姿勢で水平方向に順に重ねるようにして収納する紙葉類収納庫に適用することもできる。
【０４５０】
さらに本発明は、一方の短辺を搬送方向に向けて搬送される長方形の紙幣を取り込んで収納する紙幣収納庫等のように、この他種々の紙葉類を種々の形態で収納する紙葉類収納庫に広く適用することができる。
【０４５１】
（２−７）他の実施の形態７
さらに上述した実施の形態においては、紙葉類収納庫に設けられる駆動対象として、図１乃至図２７について上述したステージ４８と、フィードローラ７３、７４及び分離ローラ７９、８０等の各種ローラと、羽根車８１乃至８３、８４乃至８６とを適用するようにした場合について述べた。
【０４５２】
しかしながら本発明は、これに限らず、紙幣収納庫において紙幣の取込時には複数のピックアップローラの上側へ移動させ、紙幣の繰出時には下側へ移動させて、複数のピックアップローラ上に順に重ねるようにして収納されていた紙幣に押し付けることにより、これら複数の紙幣を複数のピックアップローラ側へ付勢するビルプレスに適用することができる。
【０４５３】
また本発明は、紙葉類収納庫において紙葉類の取込口や繰出口に開閉可能に設けられたシャッタ等のように、この他種々の駆動対象を広く適用することができる。
【０４５４】
（２−８）他の実施の形態８
さらに上述した実施の形態においては、紙葉類収納庫の内部に配置され、駆動対象を動かすための駆動部として、図１乃至図２７について上述したステージ駆動部４９及びローラ駆動部９５を適用するようにした場合について述べた。
【０４５５】
しかしながら本発明は、これに限らず、上述のビルプレスを昇降させるためのビルプレス駆動部や、シャッタを開閉するためのシャッタ駆動部等のように、駆動対象の種類や動かし方等に応じて、この他種々の構成の駆動部を広く適用することができる。
【０４５６】
（２−９）他の実施の形態９
さらに上述した実施の形態においては、紙葉類収納庫において内部の紙葉類の収納箇所及び駆動部の配置箇所を除く所定箇所に対応する表面の一部に形成された凹部として、図１乃至図２７について上述した紙幣収納庫２０乃至２３の背面４０Ｃから下面４０Ｄに亘って形成された溝状の収納庫凹部４０ＣＳ、紙幣収納庫１４０の背面１４１Ａに形成された切欠状の収納庫凹部１４１ＡＸ、及び紙幣収納庫１４６の所定の面１４６Ａに形成された穴状の収納庫凹部１４６ＡＸを適用するようにした場合について述べた。
【０４５７】
しかしながら本発明は、これに限らず、紙葉類収納庫の左側面や右側面に形成された溝状の凹部や、切欠状の凹部、穴状の凹部等のように、紙葉類収納庫の表面の種々の位置に形成される、この他種々の形態及び形状の凹部を広く適用することができる。
【０４５８】
（２−１０）他の実施の形態１０
さらに上述した実施の形態においては、内部に駆動対象を動かすための駆動部が配置されると共に、内部の紙葉類の収納箇所及び駆動部の配置箇所を除く所定箇所に対応する表面の一部に凹部が形成された紙葉類収納庫が着脱可能に装着される装着部として、図１乃至図２７について上述した収納庫装着ユニット１８に形成された複数の装着部１８Ｂ、紙幣処理ユニット１４５に単独で設けられた装着部１４７を適用するようにした場合について述べた。
【０４５９】
しかしながら本発明は、これに限らず、着脱可能に装着される紙葉類収納庫の形状や大きさ、装着姿勢、装着向きに応じて、この他種々の構成の装着部を広く適用することができる。
【０４６０】
（２−１１）他の実施の形態１１
さらに上述した実施の形態においては、装着部に、当該装着部に装着された紙葉類収納庫の凹部内に位置するように配置され、紙葉類収納庫の駆動部を駆動するための駆動源として、図１乃至図２７について上述したステージ駆動モータ１１１及びローラ駆動モータ１１３を適用するようにした場合について述べた。
【０４６１】
しかしながら本発明は、これに限らず、駆動対象の種類や動かし方、駆動部の構成等に応じて、ローラの他に油圧シリンダやリニアアクチュエータ、電磁弁等のように、この他種々の駆動源を広く適用することができる。
【０４６２】
（２−１２）他の実施の形態１２
さらに上述した実施の形態においては、装着部に、当該装着部に装着された紙葉類収納庫の凹部内に入り込むように配置され、駆動源を収納する駆動源収納ケースとして、図１乃至図２７について上述したモータ収納ケース１１０、１４９を適用するようにした場合について述べた。
【０４６３】
しかしながら本発明は、これに限らず、駆動源としてのモータの出力軸に取り付けられたモータギアの一部を上面から孔部を介して突出させる駆動源収納ケース等のように、駆動源の種類や配置位置及び配置向きに応じて、この他種々の構成の駆動源収納ケースを広く適用することができる。
【産業上の利用可能性】
【０４６４】
本発明は、現金自動預払機や現金自動支払機、両替機、券売機、精算機等のような紙幣や有価証券、リジェクト紙幣、チケット等の紙葉類を取り扱う紙葉類取扱装置と、当該現金自動預払機や現金自動支払機、両替機、券売機、精算機等に着脱可能に装着され、紙幣や有価証券、リジェクト紙幣、チケット等の紙葉類を収納する紙幣収納庫や有価証券収納庫等の紙葉類収納庫とに利用することができる。
【符号の説明】
【０４６５】
１……現金自動預払機、１８……収納庫装着ユニット、１８Ｂ、１４７……装着部、２０乃至２３、１４０、１４６……紙幣収納庫、４０Ｃ、１４１Ａ、１４６Ａ……背面、４０ＣＳ、１４１ＡＸ、１４６ＡＸ……収納庫凹部、４０Ｄ……下面、４９……ステージ駆動部、９５……ローラ駆動部、１１０、１４９……モータ収納ケース、１１１……ステージ駆動モータ、１１３……ローラ駆動モータ、１２０……収納庫側コネクタ、１２１……装着部側コネクタ。
【図１】
2014044543.tif 000003
【図２】
2014044543.tif 000004
【図３】
2014044543.tif 000005
【図４】
2014044543.tif 000006
【図５】
2014044543.tif 000007
【図６】
2014044543.tif 000008
【図７】
2014044543.tif 000009
【図８】
2014044543.tif 000010
【図９】
2014044543.tif 000011
【図１０】
2014044543.tif 000012
【図１１】
2014044543.tif 000013
【図１２】
2014044543.tif 000014
【図１３】
2014044543.tif 000015
【図１４】
2014044543.tif 000016
【図１５】
2014044543.tif 000017
【図１６】
2014044543.tif 000018
【図１７】
2014044543.tif 000019
【図１８】
2014044543.tif 000020
【図１９】
2014044543.tif 000021
【図２０】
2014044543.tif 000022
【図２１】
2014044543.tif 000023
【図２２】
2014044543.tif 000024
【図２３】
2014044543.tif 000025
【図２４】
2014044543.tif 000026
【図２５】
2014044543.tif 000027
【図２６】
2014044543.tif 000028
【図２７】
2014044543.tif 000029